(57)【要約】【課題】有機顔料微粒子を含有し、煩雑な工程を経ずに簡便に該微粒子もしくは凝集体の親・疎水性を切り替えることができる有機顔料組成物を提供する。【解決手段】ポリアクリレート、ポリメタクリレート、ポリスチレン、ポリアクリルアミド、ポリメタクリルアミド、ポリビニルアミド、及びポリビニルエーテルからなる架より選ばれる高分子骨格の１種以上を有する主鎖に数平均分子量が５００以上である高分子鎖を側鎖として有するグラフト型ポリマーが、その主鎖において橋架けされた架橋高分子化合物と、有機顔料微粒子とを含有する有機顔料組成物。【選択図】なし【特許請求の範囲】
【請求項１】
ポリアクリレート、ポリメタクリレート、ポリスチレン、ポリアクリルアミド、ポリメタクリルアミド、ポリビニルアミド、及びポリビニルエーテルからなる群より選ばれる高分子構造部の１種以上を有する主鎖に数平均分子量が５００以上である高分子鎖を側鎖として有するグラフト型ポリマーが、その主鎖において橋架けされた架橋高分子化合物と、有機顔料微粒子とを含有することを特徴とする有機顔料組成物。
【請求項２】
前記架橋高分子化合物が下記一般式（１）で表される繰り返し単位（１−１）〜（１−３）を有する構造であることを特徴とする請求項１に記載の有機顔料組成物。
2010084037.tif 000018
（式中、Ａ１、Ａ２、Ａ３、及びＡ４はそれぞれ独立に水素原子またはメチル基を表す。Ｒ１はカルボン酸、スルホン酸、リン酸、または窒素原子を１つ以上有するヘテロ環基を表す。Ｐ１は前記側鎖をなす数平均分子量５００以上の高分子鎖を表す。Ｌは架橋部をなす２価の連結基を表す。)
【請求項３】
前記架橋高分子化合物が下記一般式（２）で表される繰り返し単位（２−１）〜（２−４）を有する構造であることを特徴とする請求項１又は２に記載の有機顔料組成物。
2010084037.tif 000019
（式中、Ａ１-１、Ａ１-２、Ａ２、Ａ３、及びＡ４はそれぞれ独立に水素原子またはメチル基を表す。Ｒ２は窒素原子を１つ以上有するヘテロ環基を表す。Ｘは−Ｏ−、−ＮＨ−、または−Ｏ−Ｙ−ＮＨ−ＣＯ−Ｚ−を表し、Ｙは炭素数１〜４のアルキレン基を表し、Ｚは−Ｏ−または−ＮＨ−を表す。Ｐ２は前記側鎖をなす数平均分子量５００以上の高分子鎖を表す。Ｌは架橋部をなす２価の連結基を表す。）
【請求項４】
前記数平均分子量５００以上の高分子鎖が疎水性であることを特徴とする請求項１〜３のいずれか１項に記載の有機顔料組成物。
【請求項５】
前記架橋高分子化合物は前記有機顔料微粒子を含む組成物中に添加されたものであることを特徴とする請求項１〜４のいずれか１項に記載の有機顔料組成物。
【請求項６】
前記架橋高分子化合物をなすグラフト型ポリマーが、（Ａ）酸性基および塩基性基の少なくともどちらかを含有するモノマー、（Ｂ）含窒素ヘテロ環を含有するモノマー、（Ｃ）非水性媒体と親和性があるモノマー、および（Ｄ）水性媒体中に存在する有機顔料微粒子と親和性のあるモノマーからなる群より選ばれる少なくとも１つのモノマーと、（Ｅ）二官能性モノマーとの共重合体である請求項１〜５のいずれか１項に記載の有機顔料組成物。
【請求項７】
前記有機顔料微粒子の平均一次粒径が１０〜１００ｎｍであることを特徴とする請求項１〜６のいずれか１項に記載の有機顔料組成物。
【請求項８】
水性媒体中で水性凝集体として存在する前記有機顔料微粒子の組成物に、前記架橋高分子化合物を添加して疎水性凝集体とされたことを特徴とする請求項１〜７のいずれか１項に記載の有機顔料組成物。
【請求項９】
前記有機顔料微粒子が、良溶媒に溶解した有機顔料の溶液と、前記良溶媒と相溶性でありかつ前記有機顔料に対しては貧溶媒となる媒体とを混合して生成させたビルドアップ微粒子であることを特徴とする請求項１〜８のいずれか１項に記載の有機顔料組成物。
【請求項１０】
前記疎水性凝集体を非水性媒体中に含有させ、該凝集体の凝集を解き再分散させて得たことを特徴とする請求項９に記載の有機顔料組成物。
【請求項１１】
請求項１０に記載の有機顔料組成物と、バインダーと、モノマーもしくはオリゴマーと、光重合開始剤もしくは光重合開始剤系とを少なくとも含む着色感光性樹脂組成物。
【請求項１２】
請求項１１記載の着色感光性樹脂組成物を用いて作製されたことを特徴とするカラーフィルタ。
【発明の詳細な説明】
【技術分野】
【０００１】
本発明は、有機顔料組成物、それを用いた着色感光性樹脂組成物及びカラーフィルタに関する。
【背景技術】
【０００２】
近年、ナノメートルサイズの微粒子についての研究が活発になされている。そのような微粒子のなかでも、有機顔料からなる微粒子は、広い分野で利用されるようになってきており、例えば、塗料、印刷インク、電子写真用トナー、インクジェットインク、カラーフィルタ用材料等を、その用途として挙げることができる。なかでも高性能が要求され、実用上、特に重要なものとして、インクジェットインク用顔料およびカラーフィルタ用顔料が挙げられる。
【０００３】
有機粒子の製造方法に関しては、気相法、液相法、レーザーアブレーション法などがある。中でも液相法は、簡易性および生産性に優れた有機粒子の製造法として注目されている。
【０００４】
特許文献１には、液相法によって顔料粒子水分散体を調製した例が記載されている。この方法は、最終的に水性分散体として提供する方法であり、有機溶剤分散体として提供する方法については言及されていない。またこの分散体はインクジェットインクを用途としており、そこで開示されている高分子化合物もしくはその架橋体は専ら水性媒体中で色材粒子に分散性を付与するものである。特許文献２には、液相法によって調製した顔料粒子を用い、有機溶剤分散体として提供する例が記載されている。しかしながら、この手法で得られた有機顔料粒子は、一次粒子径が大きいものになりやすく、微粒子化の要求に、充分に応えられていなかった。
【０００５】
前記液相法におけるナノ粒子の調製においては、従来ナノ粒子の凝集を防ぐために、低分子界面活性剤や中性の水溶性ノニオン系高分子化合物を使用している。そのため高濃度でナノ粒子を分散できても、使用する分散助剤の量が多く必要であり、インクジェットのように粘度が低く高分子化合物含有率の極端に低い場合に、それらの技術をそのまま適用することは困難である。
【０００６】
さらに水性媒体中でナノ粒子を調製した後に所望の溶剤系に相転換させる要求に応えるために、顔料を高濃度に含有する水性スラリーや水性ペーストを作成し、樹脂又は樹脂溶液を添加し、混合攪拌し、顔料の周囲の水分を樹脂又は樹脂溶液で置換するフラッシング法が知られている。しかしこの方法では一度水性媒体中で粒子が強く凝集した形を経るので、樹脂での被覆の効率が悪くなり再分散が困難になる（例えば特許文献３、４などを参照。）。
【０００７】
さらに別の手法としては、水性ペーストを作成するために一旦水性溶媒中で調製したナノ顔料粒子を一次粒子のままあるいは凝集させた状態でフィルタろ過する方法もある。しかし、ろ過に時間がかかり工業的に非効率で煩雑になってしまう。
【０００８】
また低分子のアニオン系又はカチオン系界面活性剤も分散剤として使用できるが、低分子であり、分散安定性が不足することがある。そこでカチオン性高分子化合物を使用して粒子の水性分散物をろ過の工程を経ずにイオン性液体に相転換させる手法も試みられている（例えば非特許文献１参照）。しかし、ここに記載の方法は低濃度の無機粒子を対象とするものである。有機顔料に関する言及がなく、さらに最終分散媒が不揮発性のイオン性液体であることもあり、非特許文献２記載の方法は工業的な使用には適していない。
【０００９】
また、特許文献５には、水性媒体中で有機ナノ顔料粒子を凝集体とし、非水性媒体で抽出操作を行う方法が開示されている。そしてメンブレンフィルタろ過を行って単離し、その後有機高分子存在下に非水性媒体中に再分散させる方法が開示されている。しかし、単離時の凝集体が親水性であるため、ろ過に多大な時間がかかる。
【特許文献１】特開２００４−４３７７６号公報
【特許文献２】特開２００４−１２３８５３号公報
【特許文献３】特開平５−３０１０３７号公報
【特許文献４】特開平６−１６１１５４号公報
【特許文献５】特開２００７−２６２３７８号公報
【非特許文献１】「small」，2006，Vol.2，No.7，p.879-883
【発明の開示】
【発明が解決しようとする課題】
【００１０】
本発明は、有機顔料微粒子を含有し、煩雑な工程を経ずに簡便に該微粒子もしくは凝集体の親・疎水性を切り替えることができる有機顔料組成物の提供を目的とする。
また、本発明は上記の特性を有し、カラーフィルタとしたときに高いコントラストを示し高性能を発揮しうる顔料組成物、これを用いた着色感光性樹脂組成物及びカラーフィルタの提供を目的とする。
【課題を解決するための手段】
【００１１】
上記課題は下記の手段によって達成された。
（１）ポリアクリレート、ポリメタクリレート、ポリスチレン、ポリアクリルアミド、ポリメタクリルアミド、ポリビニルアミド、及びポリビニルエーテルからなる群より選ばれる高分子構造部の１種以上を有する主鎖に数平均分子量が５００以上である高分子鎖を側鎖として有するグラフト型ポリマーが、その主鎖において橋架けされた架橋高分子化合物と、有機顔料微粒子とを含有することを特徴とする有機顔料組成物。
（２）前記架橋高分子化合物が下記一般式（１）で表される繰り返し単位（１−１）〜（１−３）を有する構造であることを特徴とする（１）に記載の有機顔料組成物。
【００１２】
【化１】
2010084037.tif 000002
【００１３】
（式中、Ａ１、Ａ２、Ａ３、及びＡ４はそれぞれ独立に水素原子またはメチル基を表す。Ｒ１はカルボン酸、スルホン酸、リン酸、または窒素原子を１つ以上有するヘテロ環基を表す。Ｐ１は前記側鎖をなす数平均分子量５００以上の高分子鎖を表す。Ｌは架橋部をなす２価の連結基を表す。)
（３）前記架橋高分子化合物が下記一般式（２）で表される繰り返し単位（２−１）〜（２−４）を有する構造であることを特徴とする（１）又は（２）に記載の有機顔料組成物。
【００１４】
【化２】
2010084037.tif 000003
【００１５】
（式中、Ａ１-１、Ａ１-２、Ａ２、Ａ３、及びＡ４はそれぞれ独立に水素原子またはメチル基を表す。Ｒ２は窒素原子を１つ以上有するヘテロ環基を表す。Ｘは−Ｏ−、−ＮＨ−、または−Ｏ−Ｙ−ＮＨ−ＣＯ−Ｚ−を表し、Ｙは炭素数１〜４のアルキレン基を表し、Ｚは−Ｏ−または−ＮＨ−を表す。Ｐ２は前記側鎖をなす数平均分子量５００以上の高分子鎖を表す。Ｌは架橋部をなす２価の連結基を表す。）
（４）前記数平均分子量５００以上の高分子鎖が疎水性であることを特徴とする（１）〜（３）のいずれか１項に記載の有機顔料組成物。
（５）前記架橋高分子化合物は前記有機顔料微粒子を含む組成物中に添加されたものであることを特徴とする（１）〜（４）のいずれか１項に記載の有機顔料組成物。
（６）前記架橋高分子化合物をなすグラフト型ポリマーが、（Ａ）酸性基および塩基性基の少なくともどちらかを含有するモノマー、（Ｂ）含窒素ヘテロ環を含有するモノマー、（Ｃ）非水性媒体と親和性があるモノマー、および（Ｄ）水性媒体中に存在する有機顔料微粒子と親和性のあるモノマーからなる群より選ばれる少なくとも１つのモノマーと、（Ｅ）二官能性モノマーとの共重合体である（１）〜（５）のいずれか１項に記載の有機顔料組成物。
（７）前記有機顔料微粒子の平均一次粒径が１０〜１００ｎｍであることを特徴とする（１）〜（６）のいずれか１項に記載の有機顔料組成物。
（８）水性媒体中で水性凝集体として存在する前記有機顔料微粒子の組成物に、前記架橋高分子化合物を添加して疎水性凝集体とされたことを特徴とする（１）〜（７）のいずれか１項に記載の有機顔料組成物。
（９）前記有機顔料微粒子が、良溶媒に溶解した有機顔料の溶液と、前記良溶媒と相溶性でありかつ前記有機顔料に対しては貧溶媒となる媒体とを混合して生成させたビルドアップ微粒子であることを特徴とする（１）〜（８）のいずれか１項に記載の有機顔料組成物。
（１０）前記疎水性凝集体を非水性媒体中に含有させ、該凝集体の凝集を解き再分散させて得たことを特徴とする（９）に記載の有機顔料組成物。
（１１）（１０）に記載の有機顔料組成物と、バインダーと、モノマーもしくはオリゴマーと、光重合開始剤もしくは光重合開始剤系とを少なくとも含む着色感光性樹脂組成物。
（１２）（１１）記載の着色感光性樹脂組成物を用いて作製されたことを特徴とするカラーフィルタ。
【発明の効果】
【００１６】
本発明の有機顔料組成物は、有機顔料微粒子と特定の架橋高分子化合物とを含有し、アプリケーションないし製造上の要求等に応じて、煩雑な工程を経ずに簡便に前記微粒子もしくはその凝集体の親・疎水性を切り替え相転換することができるという優れた作用効果を奏する。また、本発明の有機顔料組成物を用いることにより所望の特性を付与した着色感光性樹脂組成物を極めて効率的に得ることができ、これを用いた本発明のカラーフィルタは高いコントラストを示し表示装置等において高性能を発揮しうる。
【発明を実施するための最良の形態】
【００１７】
以下、本発明の有機顔料組成物について説明する。
本発明に用いられる有機顔料は、液相法で粒子形成できるものが好ましく、単独で用いても、複数であっても、これらを組み合わせたものであってもよい。
【００１８】
有機顔料は、色相的に限定されるものではなく、例えば、ペリレン、ペリノン、キナクリドン、キナクリドンキノン、アントラキノン、アントアントロン、ベンズイミダゾロン、ジスアゾ縮合、ジスアゾ、アゾ、インダントロン、フタロシアニン、トリアリールカルボニウム、ジオキサジン、アミノアントラキノン、ジケトピロロピロール、チオインジゴ、イソインドリン、イソインドリノン、ピラントロンもしくはイソビオラントロン化合物顔料、またはそれらの混合物などが挙げられる。
【００１９】
更に詳しくは、たとえば、Ｃ．Ｉ．ピグメントレッド１９０（Ｃ．Ｉ．番号７１１４０）、Ｃ．Ｉ．ピグメントレッド２２４（Ｃ．Ｉ．番号７１１２７）、Ｃ．Ｉ．ピグメントバイオレット２９（Ｃ．Ｉ．番号７１１２９）等のペリレン化合物顔料、Ｃ．Ｉ．ピグメントオレンジ４３（Ｃ．Ｉ．番号７１１０５）、もしくはＣ．Ｉ．ピグメントレッド１９４（Ｃ．Ｉ．番号７１１００）等のペリノン化合物顔料、Ｃ．Ｉ．ピグメントバイオレット１９（Ｃ．Ｉ．番号７３９００）、Ｃ．Ｉ．ピグメントバイオレット４２、Ｃ．Ｉ．ピグメントレッド１２２（Ｃ．Ｉ．番号７３９１５）、Ｃ．Ｉ．ピグメントレッド１９２、Ｃ．Ｉ．ピグメントレッド２０２（Ｃ．Ｉ．番号７３９０７）、Ｃ．Ｉ．ピグメントレッド２０７（Ｃ．Ｉ．番号７３９００、７３９０６）、もしくはＣ．Ｉ．ピグメントレッド２０９（Ｃ．Ｉ．番号７３９０５）のキナクリドン化合物顔料、Ｃ．Ｉ．ピグメントレッド２０６（Ｃ．Ｉ．番号７３９００／７３９２０）、Ｃ．Ｉ．ピグメントオレンジ４８（Ｃ．Ｉ．番号７３９００／７３９２０）、もしくはＣ．Ｉ．ピグメントオレンジ４９（Ｃ．Ｉ．番号７３９００／７３９２０）等のキナクリドンキノン化合物顔料、Ｃ．Ｉ．ピグメントイエロー１４７（Ｃ．Ｉ．番号６０６４５）等のアントラキノン化合物顔料、Ｃ．Ｉ．ピグメントレッド１６８（Ｃ．Ｉ．番号５９３００）等のアントアントロン化合物顔料、Ｃ．Ｉ．ピグメントブラウン２５（Ｃ．Ｉ．番号１２５１０）、Ｃ．Ｉ．ピグメントバイオレット３２（Ｃ．Ｉ．番号１２５１７）、Ｃ．Ｉ．ピグメントイエロー１８０（Ｃ．Ｉ．番号２１２９０）、Ｃ．Ｉ．ピグメントイエロー１８１（Ｃ．Ｉ．番号１１７７７）、Ｃ．Ｉ．ピグメントオレンジ６２（Ｃ．Ｉ．番号１１７７５）、もしくはＣ．Ｉ．ピグメントレッド１８５（Ｃ．Ｉ．番号１２５１６）等のベンズイミダゾロン化合物顔料、Ｃ．Ｉ．ピグメントイエロー９３（Ｃ．Ｉ．番号２０７１０）、Ｃ．Ｉ．ピグメントイエロー９４（Ｃ．Ｉ．番号２００３８）、Ｃ．Ｉ．ピグメントイエロー９５（Ｃ．Ｉ．番号２００３４）、Ｃ．Ｉ．ピグメントイエロー１２８（Ｃ．Ｉ．番号２００３７）、Ｃ．Ｉ．ピグメントイエロー１６６（Ｃ．Ｉ．番号２００３５）、Ｃ．Ｉ．ピグメントオレンジ３４（Ｃ．Ｉ．番号２１１１５）、Ｃ．Ｉ．ピグメントオレンジ１３（Ｃ．Ｉ．番号２１１１０）、Ｃ．Ｉ．ピグメントオレンジ３１（Ｃ．Ｉ．番号２００５０）、Ｃ．Ｉ．ピグメントレッド１４４（Ｃ．Ｉ．番号２０７３５）、Ｃ．Ｉ．ピグメントレッド１６６（Ｃ．Ｉ．番号２０７３０）、Ｃ．Ｉ．ピグメントレッド２２０（Ｃ．Ｉ．番号２００５５）、Ｃ．Ｉ．ピグメントレッド２２１（Ｃ．Ｉ．番号２００６５）、Ｃ．Ｉ．ピグメントレッド２４２（Ｃ．Ｉ．番号２００６７）、Ｃ．Ｉ．ピグメントレッド２４８、Ｃ．Ｉ．ピグメントレッド２６２、もしくはＣ．Ｉ．ピグメントブラウン２３（Ｃ．Ｉ．番号２００６０）等のジスアゾ縮合化合物顔料、Ｃ．Ｉ．ピグメントイエロー１３（Ｃ．Ｉ．番号２１１００）、Ｃ．Ｉ．ピグメントイエロー８３（Ｃ．Ｉ．番号２１１０８）、もしくはＣ．Ｉ．ピグメントイエロー１８８（Ｃ．Ｉ．番号２１０９４）等のジスアゾ化合物顔料、Ｃ．Ｉ．ピグメントレッド１８７（Ｃ．Ｉ．番号１２４８６）、Ｃ．Ｉ．ピグメントレッド１７０（Ｃ．Ｉ．番号１２４７５）、Ｃ．Ｉ．ピグメントイエロー７４（Ｃ．Ｉ．番号１１７１４）、Ｃ．Ｉ．ピグメントイエロー１５０（Ｃ．Ｉ．番号４８５４５）、Ｃ．Ｉ．ピグメントレッド４８（Ｃ．Ｉ．番号１５８６５）、Ｃ．Ｉ．ピグメントレッド５３（Ｃ．Ｉ．番号１５５８５）、Ｃ．Ｉ．ピグメントオレンジ６４（Ｃ．Ｉ．番号１２７６０）、もしくはＣ．Ｉ．ピグメントレッド２４７（Ｃ．Ｉ．番号１５９１５）等のアゾ化合物顔料、Ｃ．Ｉ．ピグメントブルー６０（Ｃ．Ｉ．番号６９８００）等のインダントロン化合物顔料、Ｃ．Ｉ．ピグメントグリーン７（Ｃ．Ｉ．番号７４２６０）、Ｃ．Ｉ．ピグメントグリーン３６（Ｃ．Ｉ．番号７４２６５）、ピグメントグリーン３７（Ｃ．Ｉ．番号７４２５５）、ピグメントブルー１６（Ｃ．Ｉ．番号７４１００）、Ｃ．Ｉ．ピグメントブルー７５（Ｃ．Ｉ．番号７４１６０：２）、もしくは１５（Ｃ．Ｉ．番号７４１６０）等のフタロシアニン化合物顔料、Ｃ．Ｉ．ピグメントブルー５６（Ｃ．Ｉ．番号４２８００）、もしくはＣ．Ｉ．ピグメントブルー６１（Ｃ．Ｉ．番号４２７６５：１）等のトリアリールカルボニウム化合物顔料、Ｃ．Ｉ．ピグメントバイオレット２３（Ｃ．Ｉ．番号５１３１９）、もしくはＣ．Ｉ．ピグメントバイオレット３７（Ｃ．Ｉ．番号５１３４５）等のジオキサジン化合物顔料、Ｃ．Ｉ．ピグメントレッド１７７（Ｃ．Ｉ．番号６５３００）等のアミノアントラキノン化合物顔料、Ｃ．Ｉ．ピグメントレッド２５４（Ｃ．Ｉ．番号５６１１０）、Ｃ．Ｉ．ピグメントレッド２５５（Ｃ．Ｉ．番号５６１０５０）、Ｃ．Ｉ．ピグメントレッド２６４、Ｃ．Ｉ．ピグメントレッド２７２（Ｃ．Ｉ．番号５６１１５０）、Ｃ．Ｉ．ピグメントオレンジ７１、もしくはＣ．Ｉ．ピグメントオレンジ７３等のジケトピロロピロール化合物顔料、Ｃ．Ｉ．ピグメントレッド８８（Ｃ．Ｉ．番号７３３１２）等のチオインジゴ化合物顔料、Ｃ．Ｉ．ピグメントイエロー１３９（Ｃ．Ｉ．番号５６２９８）、Ｃ．Ｉ．ピグメントオレンジ６６（Ｃ．Ｉ．番号４８２１０）等のイソインドリン化合物顔料、Ｃ．Ｉ．ピグメントイエロー１０９（Ｃ．Ｉ．番号５６２８４）、もしくはＣ．Ｉ．ピグメントオレンジ６１（Ｃ．Ｉ．番号１１２９５）等のイソインドリノン化合物顔料、Ｃ．Ｉ．ピグメントオレンジ４０（Ｃ．Ｉ．番号５９７００）、もしくはＣ．Ｉ．ピグメントレッド２１６（Ｃ．Ｉ．番号５９７１０）等のピラントロン化合物顔料、またはＣ．Ｉ．ピグメントバイオレット３１（Ｃ．Ｉ．番号６００１０）等のイソビオラントロン化合物顔料が挙げられる。なかでも、キナクリドン化合物顔料、ジケトピロロピロール化合物顔料、ジオキサジン化合物顔料、フタロシアニン化合物顔料、またはアゾ化合物顔料であることが好ましく、ジケトピロロピロール化合物顔料又はジオキサジン化合物顔料がより好ましい。
本発明においては、２種類以上の有機顔料または有機顔料の固溶体を組み合わせて用いることもできる。
【００２０】
本発明の組成物中の有機顔料微粒子は、有機顔料を良溶媒に溶解した有機顔料溶液と、前記良溶媒に対しては相溶性を有し、有機顔料に対しては貧溶媒となる溶媒とを混合することにより生成させることができる。
本発明において、有機顔料組成物は、有機顔料微粒子と後述する特定の架橋高分子化合物（本発明において「架橋高分子化合物」とは架橋された高分子化合物であり、所定のポリマーが橋架けされた構造を有する化合物を意味する。）とを含む組成物であればよく、上記の有機顔料微粒子を生成させた分散液（以下、「再沈液」ということもある。）のほか、有機顔料微粒子と上記特定の架橋高分子化合物とを有する粉末組成物、凝集組成物、固体組成物であってもよい。このとき、有機顔料組成物が有機顔料微粒子及び上記特定の架橋高分子化合物以外の別成分を含んでいてもよく、上記特定の架橋高分子化合物等が組成物中に有機顔料微粒子とは別に独立して共存していても、それらが有機顔料微粒子に取り込まれて又は吸着して共存していてもよい。ただし、本発明においては有機顔料微粒子の形成後に前記特定の架橋高分子化合物が添加されることが好ましく、このようにして得た微粒子内部に取り込まれた部分が実質的になく、微粒子表面に前記架橋高分子化合物が吸着ないし取り巻く状態で存在することが好ましい。
【００２１】
有機顔料の貧溶媒は、有機顔料を溶解する良溶媒と相溶するもしくは均一に混ざるものであれば特に限定されない。有機顔料の貧溶媒としては、有機顔料の溶解度が０．０２質量％以下であることが好ましく、０．０１質量％以下であることがより好ましい。有機顔料の貧溶媒への溶解度にとくに下限はないが、通常用いられる有機顔料を考慮すると０．０００００１質量％以上が実際的である。この溶解度は酸またはアルカリの存在下で溶解された場合の溶解度であってもよい。また、良溶媒と貧溶媒との相溶性もしくは均一混合性は、良溶媒の貧溶媒に対する溶解量が３０質量％以上であることが好ましく、５０質量％以上であることがより好ましい。良溶媒の貧溶媒に対する溶解量に特に上限はないが、任意の割合で混じり合うことが実際的である。
【００２２】
貧溶媒としては、上記のとおり良溶媒に相溶し、有機顔料が不溶もしくは難溶であれば、特に制限はなく、例えば、水性溶媒（例えば、水、または塩酸、水酸化ナトリウム水溶液）、アルコール化合物溶媒、ケトン化合物溶媒、エーテル化合物溶媒、芳香族化合物溶媒、二硫化炭素溶媒、脂肪族化合物溶媒、ニトリル化合物溶媒、ハロゲン化合物溶媒、エステル化合物溶媒、イオン性液体、これらの混合溶媒などが挙げられ、水性溶媒、アルコール化合物溶媒、ケトン化合物溶媒、エーテル化合物溶媒、エステル化合物溶媒、またはこれらの混合物が好ましく、水性溶媒、アルコール化合物溶媒またはエステル化合物溶媒がより好ましい。
【００２３】
アルコール化合物溶媒としては、例えば、メタノール、エタノール、イソプロピルアルコール、ｎ−プロピルアルコール、１−メトキシ−２−プロパノールなどが挙げられる。ケトン化合物溶媒としては、例えば、アセトン、メチルエチルケトン、メチルイソブチルケトン、シクロヘキサノンが挙げられる。エーテル化合物溶媒としては、例えば、ジメチルエーテル、ジエチルエーテル、テトラヒドロフランなどが挙げられる。芳香族化合物溶媒としては、例えば、ベンゼン、トルエンなどが挙げられる。脂肪族化合物溶媒としては、例えば、ヘキサンなどが挙げられる。ニトリル化合物溶媒としては、例えば、アセトニトリルなどが挙げられる。ハロゲン化合物溶媒としては、例えば、クロロホルム、ジクロロメタン、トリクロロエチレン、ヨードホルムなどが挙げられる。エステル化合物溶媒としては、例えば、酢酸エチル、酢酸ブチル、乳酸メチル、乳酸エチル、２−（１−メトキシ）プロピルアセテートなどが挙げられる。イオン性液体としては、例えば、１−ブチル−３−メチルイミダゾリウムとＰＦ6-との塩などが挙げられる。
【００２４】
良溶媒は用いる有機顔料を溶解することが可能で、前記貧溶媒と相溶するもしくは均一に混ざるものであれば特に限定されない。有機顔料の良溶媒への溶解性は有機材料の溶解度が０．２質量％以上であることが好ましく、０．５質量％以上であることがより好ましい。有機顔料の良溶媒への溶解度に特に上限はないが、通常用いられる有機顔料を考慮すると５０質量％以下であることが実際的である。この溶解度は酸またはアルカリの存在下で溶解された場合の溶解度であってもよい。貧溶媒と良溶媒との相溶性もしくは均一混合性の好ましい範囲は前述のとおりである。
【００２５】
良溶媒としては、例えば、水性溶媒（例えば、水、または塩酸、水酸化ナトリウム水溶液）、アルコール化合物溶媒、アミド化合物溶媒、ケトン化合物溶媒、エーテル化合物溶媒、芳香族化合物溶媒、二硫化炭素溶媒、脂肪族化合物溶媒、ニトリル化合物溶媒、スルホキシド化合物溶媒、ハロゲン化合物溶媒、エステル化合物溶媒、イオン性液体、カルボン酸化合物、スルホン酸化合物、硫酸、これらの混合溶媒などが挙げられ、水性溶媒、アルコール化合物溶媒、ケトン化合物溶媒、エーテル化合物溶媒、スルホキシド化合物溶媒、エステル化合物溶媒、アミド化合物溶媒、カルボン酸化合物、スルホン酸化合物、硫酸、またはこれらの混合物が好ましく、水性溶媒、アルコール化合物溶媒、エステル化合物溶媒、スルホキシド化合物溶媒、アミド化合物溶媒、カルボン酸化合物、スルホン酸化合物、硫酸がより好ましく、スルホキシド化合物溶媒、アミド化合物溶媒、カルボン酸化合物、スルホン酸化合物、硫酸が特に好ましい。
【００２６】
アルコール化合物溶媒としては、例えばメタノール、エタノール、イソプロパノール、ｎ−プロパノール、１−メトキシ−２−プロパノールなどが挙げられる。ケトン化合物溶媒としては、例えば、アセトン、メチルエチルケトン、シクロヘキサノンなどが挙げられる。エーテル化合物溶媒としては、例えば、ジメチルエーテル、ジエチルエーテル、テトラヒドロフランなどが挙げられる。芳香族化合物溶媒としては、例えば、ニトロベンゼン、クロロベンゼン、ジクロロベンゼンが挙げられる。脂肪族化合物溶媒としては、例えば、ヘキサンなどが挙げられる。ニトリル化合物溶媒としては、例えば、アセトニトリルなどが挙げられる。スルホキシド化合物溶媒としては、例えば、ジメチルスルホキシド、ジエチルスルホキド、ヘキサメチレンスルホキシド、スルホランなどが挙げられる。ハロゲン化合物溶媒としては、例えば、クロロホルム、ジクロロメタン、トリクロロエチレン、ヨードホルムなどが挙げられる。エステル化合物溶媒としては、例えば、酢酸エチル、酢酸ブチル、乳酸メチル、乳酸エチル、２−（１−メトキシ）プロピルアセテートなどが挙げられる。イオン性液体としては、例えば、１−ブチル−３−メチルイミダゾリウムとＰＦ６−との塩などが挙げられる。アミド化合物溶媒としては、例えば、Ｎ，Ｎ−ジメチルホルムアミド、１−メチル−２−ピロリドン、２−ピロリジノン、１，３−ジメチル−２−イミダゾリジノン、２−ピロリジノン、ε−カプロラクタム、ホルムアミド、Ｎ−メチルホルムアミド、アセトアミド、Ｎ−メチルアセトアミド、Ｎ，Ｎ−ジメチルアセトアミド、Ｎ−メチルプロパンアミド、ヘキサメチルホスホリックトリアミドなどが挙げられる。カルボン酸化合物としては、例えば、ギ酸、酢酸、クロロ酢酸、ジクロロ酢酸、シュウ酸、トリフルオロ酢酸、トリクロロ酢酸、２，２−ジクロロプロピオン酸、スクアリン酸などが挙げられる。スルホン酸化合物としては、例えば、メタンスルホン酸、ｐ−トルエンスルホン酸、硫酸、クロロスルホン酸、トリフルオロメタンスルホン酸などが挙げられる。
【００２７】
良溶媒の具体例として列挙したものと貧溶媒として列挙したものとで共通するものもあるが、良溶媒及び貧溶媒として同じものを組み合わせることはなく、採用する各有機顔料との関係で良溶媒に対する溶解度が貧溶媒に対する溶解度より十分高ければよく、例えばその溶解度差が０．２質量％以上であることが好ましく、０．５質量％以上であることがより好ましい。良溶媒と貧溶媒に対する溶解度の差に特に上限はないが、通常用いられる有機顔料を考慮すると５０質量％以下であることが実際的である。
【００２８】
また、良溶媒に有機顔料を溶解した有機顔料溶液の濃度としては、溶解時の条件における有機顔料の良溶媒に対する飽和濃度乃至これの１／１００程度の範囲が好ましい。
【００２９】
有機顔料溶液の調製条件に特に制限はなく、常圧から亜臨界、超臨界条件の範囲を選択できる。常圧での温度は−１０〜１５０℃が好ましく、−５〜１３０℃がより好ましく、０〜１００℃が特に好ましい。
【００３０】
本発明において有機顔料は、酸性でもしくはアルカリ性で溶解することも好ましい。一般に分子内にアルカリ性で解離可能な基を有する顔料の場合はアルカリ性が、アルカリ性で解離する基が存在せず、プロトンが付加しやすい窒素原子を分子内に多く有するときは酸性が用いられる。例えば、キナクリドン、ジケトピロロピロール、ジスアゾ縮合化合物顔料はアルカリ性で、フタロシアニン化合物顔料は酸性で溶解される。
【００３１】
アルカリ性で溶解させる場合に用いられる塩基は、水酸化リチウム、水酸化ナトリウム、水酸化カリウム、水酸化カルシウム、もしくは水酸化バリウムなどの無機塩基、またはトリアルキルアミン、ジアザビシクロウンデセン（ＤＢＵ）、金属アルコキシドなどの有機塩基であるが、好ましくは無機塩基である。
【００３２】
使用される塩基の量は、顔料を均一に溶解可能な量であり、特に限定されないが、無機塩基の場合、好ましくは有機材料に対して１．０〜３０モル当量であり、より好ましくは１．０〜２５モル当量であり、さらに好ましくは１．０〜２０モル当量である。有機塩基の場合、好ましくは有機材料に対して１．０〜１００モル当量であり、より好ましくは５．０〜１００モル当量であり、さらに好ましくは２０〜１００モル当量である。
【００３３】
酸性で溶解させる場合に用いられる酸は、硫酸、塩酸、もしくは燐酸などの無機酸、または酢酸、トリフルオロ酢酸、シュウ酸、メタンスルホン酸、もしくはトリフルオロメタンスルホン酸などの有機酸であるが好ましくは無機酸である。特に好ましくは硫酸である。
【００３４】
使用される酸の量は、有機顔料を均一に溶解可能な量であり、特に限定されないが、塩基に比べて過剰量用いられる場合が多い。無機酸および有機酸の場合を問わず、好ましくは有機材料に対して３〜５００モル当量であり、より好ましくは１０〜５００モル当量であり、さらに好ましくは３０〜２００モル当量である。
【００３５】
アルカリまたは酸を有機溶媒と混合して、有機顔料の良溶媒として用いる際は、アルカリまたは酸を完全に溶解させるため、若干の水や低級アルコールなどのアルカリまたは酸に対して高い溶解度をもつ溶剤を、有機溶媒に添加することができる。水や低級アルコールの量は、有機材料溶液全量に対して、５０質量％以下が好ましく、３０質量％以下がより好ましい。具体的には、水、メタノール、エタノール、ｎ−プロパノール、イソプロパノール、ブチルアルコールなどを用いることができる。
【００３６】
有機粒子作製時、すなわち有機粒子を析出し、形成する際の貧溶媒の条件に特に制限はなく、常圧から亜臨界、超臨界条件の範囲を選択できる。常圧での温度は−３０〜１００℃が好ましく、−１０〜６０℃がより好ましく、０〜３０℃が特に好ましい。
【００３７】
有機顔料溶液と貧溶媒とを混合する際、両者のどちらを添加して混合してもよいが、有機顔料溶液を貧溶媒に添加して混合することが好ましく、その際に貧溶媒が撹拌された状態であることが好ましい。撹拌速度は１００〜１００００ｒｐｍが好ましく１５０〜８０００ｒｐｍがより好ましく、２００〜６０００ｒｐｍが特に好ましい。添加にはポンプ等を用いることもできるし、用いなくてもよい。また、液中添加でも液外添加でもよいが、液中添加がより好ましい。有機顔料溶液と貧溶媒の混合比（有機顔料微粒子再沈液中の良溶媒／貧溶媒比）は体積比で１／５０〜２／３が好ましく、１／４０〜１／２がより好ましく、１／２０〜３／８が特に好ましい。水性媒体としては、上記の水性溶媒が少なくとも６０質量％含まれているものであり、好ましくは８０質量％以上含まれているものである。
【００３８】
有機顔料組成物が、例えば上記再沈液のような分散体であるとき、その有機顔料微粒子の含有率は特に限定されないが、媒体１０００ｍｌに対して有機顔料微粒子が１０〜４００００ｍｇの範囲であることが好ましく、より好ましくは２０〜３００００ｍｇの範囲であり、特に好ましくは５０〜２５０００ｍｇの範囲である。
【００３９】
また、有機顔料微粒子を生成させる際の調製スケールは、特に限定されないが、貧溶媒の混合量が１〜１０００Ｌの調製スケールであることが好ましく、１〜１００Ｌの調製スケールであることがより好ましい。
【００４０】
有機顔料微粒子の粒径に関しては、計測法により数値化して集団の平均の大きさを表現する方法があるが、よく使用されるものとして、分布の最大値を示すモード径、積分分布曲線の中央値に相当するメジアン径、各種の平均径（数平均、長さ平均、面積平均、質量平均、体積平均等）などがあり、本発明においては、特に断りのない限り、平均粒径とは数平均径をいう。有機顔料微粒子（一次粒子）の平均粒径はナノメートルサイズであり、１〜２００ｎｍであることがより好ましく、１０〜１００ｎｍであることがさらに好ましく、１０〜８０ｎｍであることが特に好ましい。なお本発明において形成される粒子は結晶質粒子でも非晶質粒子でもよく、またはこれらの混合物でもよい。
【００４１】
また、粒子の単分散性を表す指標として、本発明においては、特に断りのない限り、体積平均粒径（Ｍｖ）と数平均粒径（Ｍｎ）の比（Ｍｖ／Ｍｎ）を用いる。有機顔料微粒子の濃縮方法に用いられる分散液に含まれる粒子（一次粒子）の単分散性、つまりＭｖ／Ｍｎは、１．０〜２．０であることが好ましく、１．０〜１．８であることがより好ましく、１．０〜１．５であることが特に好ましい。
【００４２】
有機顔料微粒子の粒径の測定方法としては、顕微鏡法、重量法、光散乱法、光遮断法、電気抵抗法、音響法、動的光散乱法が挙げられ、顕微鏡法、動的光散乱法が特に好ましい。顕微鏡法に用いられる顕微鏡としては、例えば、走査型電子顕微鏡、透過型電子顕微鏡などが挙げられる。動的光散乱法による粒子測定装置として、例えば、日機装社製ナノトラックＵＰＡ−ＥＸ１５０、大塚電子社製ダイナミック光散乱光度計ＤＬＳ−７０００シリーズ、堀場製作所社製ＬＢ−４００などが挙げられる（いずれも商品名）。
【００４３】
本発明においては、有機顔料微粒子を析出させ分散液を調製するに当り、有機顔料溶液及び貧溶媒の少なくとも一方に分散剤を含有させてもよい。このとき少なくとも有機顔料溶液に分散剤（本発明においては、粒子析出時に添加する分散剤を単に「分散剤」といい、後述する疎水性化用分散剤と区別していうことがある。）を含有させることが好ましい。
用いることのできる分散剤として、例えば、アニオン性、カチオン性、両イオン性、ノニオン性もしくは顔料誘導体の、高分子または低分子の分散剤（以下、高分子と低分子を区別して、それぞれ「高分子分散剤」、「低分子分散剤」ということがある。）を使用することができる。なお、高分子または低分子分散剤の添加量は、溶解された顔料に対して１質量％以上１０００質量％以下が好ましく、５質量％以上２００質量％以下がより好ましく、１０質量％以上１００質量％以下が特に好ましい。１０質量％未満では顔料粒子の成長及び凝集を抑制する効果が少なくなり、１０００質量％を超えると粘度上昇、溶解不良等の問題が発生しやすくなる。
【００４４】
以下、高分子分散剤について説明する。
高分子分散剤の分子量は、数平均分子量で１，０００以上２００，０００以下が好ましく、２，０００以上１００，０００以下がより好ましく、３，０００以上５０，０００以下が特に好ましい。１，０００未満では顔料粒子の成長及び強凝集を抑制する効果が少なくなり、２００，０００を超えると粘度上昇、溶解不良等の問題が発生し易くなる。なお、本発明における高分子とは数平均分子量で１０００以上のものを指す。
【００４５】
高分子分散剤としては、ノニオン性のものとして、具体的には、ポリビニルピロリドン、ポリビニルアルコール、ポリビニルメチルエーテル、ポリエチレングリコール、ポリプロピレングリコール、ポリアクリルアミド、ポリジメチルアミノプロピルアクリルアミド、ビニルアルコール−酢酸ビニル共重合体、ポリビニルアルコール−部分ホルマール化物、ポリビニルアルコール−部分ブチラール化物、ビニルピロリドン−酢酸ビニル共重合体、ビニルピロリドン−ジメチルアミノプロピルアクリルアミド体、ビニルピロリドン−ビニルピリジン共重合体、ビニルピロリドン−ビニルイミダゾール共重合体、ポリエチレンオキシド／プロピレンオキシドブロック共重合体、ポリエチレンオキシド／プロピレンオキシドランダム共重合体などが挙げられ、中でもポリビニルピロリドン、ポリジメチルアミノプロピルアクリルアミド、ビニルピロリドン−ジメチルアミノプロピルアクリルアミド体、ビニルピロリドン−ビニルピリジン共重合体、ビニルピロリドン−ビニルイミダゾール共重合体、ポリエチレンオキシド／プロピレンオキシドブロック共重合体、ポリエチレンオキシド／プロピレンオキシドランダム共重合体が好ましい。
【００４６】
アニオン性のものとしては、ポリアクリル酸塩、ポリビニル硫酸塩、ポリベンゼンスルホン酸塩、縮合ナフタレンスルホン酸塩、セルロース誘導体、澱粉誘導体などが挙げられる。中でも、ポリベンゼンスルホン酸塩、縮合ナフタレンスルホン酸塩がより好ましい。
これらアニオン性のものは、アニオン性のモノマーを共重合することにより得られるが、アニオン性モノマー自身だけでなく、ノニオン性のモノマーとも共重合させたものであっても良い。ノニオン性のモノマーは、具体的には、ビニルピロリドン、スチレン、ナフタレン、スチリルメチルクロリド、ビニルイミダゾール、ビニルピリジン、アクリルアミド、ビニルアミド、ジメチルアミノプロピルアクリルアミドなどが挙げられる。
【００４７】
カチオン性のものとしては、特に４級アンモニウム部位を有する高分子化合物が好ましく、ポリ（メタクリルオキシアルキルアンモニウム塩）、ポリ（メタクリルオキシアリールアンモニウム塩）、ポリ（アクリルオキシアルキルアンモニウム塩）、ポリ（アクリルオキシアリールアンモニウム塩）、ポリ（ジアリルアンモニウム塩）、ポリスチリルメチレンイミダゾリウム塩類、ポリスチリルメチレンピリジニウム塩類などが挙げられる。その他、アルギン酸塩、ゼラチン、アルブミン、カゼイン、アラビアゴム、トラガントゴム、リグニンスルホン酸塩などの天然高分子類も使用できる。
【００４８】
両イオン性のものとしては、上記アニオン性、カチオン性として挙げたものの共重合体が好ましい。
【００４９】
これら高分子分散剤は、１種単独であるいは２種以上を組み合わせて用いることができる。顔料の分散に用いる分散剤に関しては、「顔料分散安定化と表面処理技術・評価」（化学情報協会、２００１年１２月発行）の２９〜４６頁に詳しく記載されている。
【００５０】
以下、低分子分散剤について説明する。
低分子分散剤としては、アニオン性のものとして、Ｎ−アシル−Ｎ−アルキルタウリン塩、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等を挙げることができる。なかでも、Ｎ−アシル−Ｎ−アルキルタウリン塩が好ましい。Ｎ−アシル−Ｎ−アルキルタウリン塩としては、特開平３−２７３０６７号明細書に記載されているものが好ましい。これらアニオン性分散剤は、単独であるいは２種以上を組み合わせて用いることができる。
【００５１】
カチオン性のものとしては、四級アンモニウム塩、アルコキシル化ポリアミン、脂肪族アミンポリグリコールエーテル、脂肪族アミン、脂肪族アミンと脂肪族アルコールから誘導されるジアミンおよびポリアミン、脂肪酸から誘導されるイミダゾリンおよびこれらのカチオン性物質の塩が含まれる。これらカチオン性分散剤は、単独であるいは２種以上を組み合わせて用いることができる。
【００５２】
両イオン性のものとしては、前記アニオン性分散剤が分子内に有するアニオン基部分とカチオン性分散剤が分子内に有するカチオン基部分を共に分子内に有する分散剤である。
ノニオン性のものとしては、ポリオキシエチレンアルキルエーテル、ポリオキシエチレンアルキルアリールエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステルなどを挙げることができる。中でも、ポリオキシエチレンアルキルアリールエーテルが好ましい。これらノニオン性分散剤は、単独であるいは２種以上を組み合わせて用いることができる。
【００５３】
顔料誘導体型のものとしては、親物質としての有機顔料から誘導され、その親構造を化学修飾することで製造される顔料誘導体型分散剤、あるいは化学修飾された顔料前駆体の顔料化反応により得られる顔料誘導体型分散剤と定義する。例えば、糖含有顔料誘導体型分散剤、ピペリジル含有顔料誘導体型分散剤、ナフタレンまたはペリレン誘導顔料誘導体型分散剤、メチレン基を介して顔料親構造に連結された官能基を有する顔料誘導体型分散剤、ポリマーで化学修飾された顔料親構造、スルホン酸基を有する顔料誘導体型分散剤、スルホンアミド基を有する顔料誘導体型分散剤、エーテル基を有する顔料誘導体型分散剤、あるいはカルボン酸基、カルボン酸エステル基またはカルボキサミド基を有する顔料誘導体型分散剤などがある。
【００５４】
本発明においては、良溶媒に溶解させた有機顔料溶液を調製する際、アミノ基を含有する顔料分散剤を共存させることも好ましい。ここで、アミノ基とは一級アミノ基、二級アミノ基、三級アミノ基を含み、アミノ基の数は一つでも複数でもよい。顔料骨格にアミノ基を有する置換基を導入した顔料誘導体化合物でも、アミノ基を有するモノマーを重合成分としたポリマー化合物でもよい。これらの例として、例えば、特開２０００−２３９５５４号公報、２００３−９６３２９号公報、２００１−３１８８５号公報、特開平１０−３３９９４９号公報、特公平５−７２９４３号公報に記載の化合物などが挙げられるが、これらに限定されるものではない。
【００５５】
本発明においては、有機顔料微粒子の再沈液（水性分散液）調製後に酸を添加して水性凝集体とすることができる。あるいは、有機顔料微粒子を析出させ水性分散液を調製するに当たり、貧溶媒中に酸を添加しておき、ここへ顔料溶液を添加することにより有機顔料微粒子を親水性凝集体としてもよい。特に、貧溶媒に酸を添加しておいて水性凝集体を得ることが好ましい。ここで、本発明において「水性凝集体」とは、該凝集体、あるいは該凝集体を構成する有機顔料微粒子の表面が、親水性の分散剤で被覆されている状態の凝集体を指す。ここで、定量的に親・疎水性を区別する場合、沖津俊直により提案されている溶解性パラメータ（ＳＰ値）の理論式（日本接着学会誌Ｖｏｌ．２９，Ｎｏ．６（１９９３）２４９〜２５９項）を用いて、分散剤について計算した値が２０ＭＰａ１／２以上であるとき、該分散剤は親水性であるという。親水性凝集体としては有機顔料微粒子の一次粒子が２粒子以上凝集していれば特に制限されないが、通常平均粒径５μｍ程度であり、好ましくは０．０４〜１０μｍである。
水性凝集体を形成させるために使用する酸としては、好ましくは酢酸、塩酸、硫酸、ギ酸であり、より好ましくは酢酸、塩酸である。水性凝集体形成時の水性分散液のｐＨについては凝集体が形成されればよく特に制限されないが、好ましくはｐＨ１〜６、より好ましくはｐＨ２〜４である。水性凝集体においてその固形分はほぼ顔料で構成されていることが実際的であるが、調製後の液中の顔料の含有率としては例えば０．００４〜４質量％であることが実際的である。この濃度は後述する非水性凝集体についても同様である。
【００５６】
本発明においては、水性凝集体に対して質量平均分子量１０００以上の有機高分子化合物を共存させ、疎水性凝集体とすることが好ましい。（以後、「質量平均分子量１０００以上の有機高分子化合物」を「有機高分子化合物」または「疎水性化用分散剤」ということがある。）
本発明においては、水性媒体中に存在する有機顔料微粒子に対して、少なくとも１種の質量平均分子量１０００以上の有機高分子化合物を添加することにより疎水性の凝集体を作製した後、有機ナノ粒子凝集体を単離することができる。水性媒体中に存在する有機ナノ粒子は、そのままではろ紙によるろ過を行っても、ろ紙をすり抜けたり、ろ過フィルタでろ過をしても、莫大な時間がかかってしまう。上述したように貧溶媒に酸、あるいはアルカリを添加しておくことで、有機顔料微粒子の水性分散液の調製時に有機顔料微粒子を水性凝集体として得ることができる。しかし、これだけであると、凝集体が親水性であるため、水性媒体中では大きな凝集体とはならず、且つ脱水性も悪いため、これをろ過してもろ過に多大な時間がかかってしまう。そこで、本発明では、有機高分子化合物を添加することで該水性凝集体を非親水性の凝集体（以後、「疎水性凝集体」ということもある）とすることが好ましい。有機高分子化合物の添加によって、有機顔料微粒子を水性媒体中でより大きな凝集体とすることができる。この方法によれば、ろ過に要する時間が短縮され、大幅なろ過性の改善が可能である。本発明において「疎水性凝集体」とは、該凝集体、あるいは該凝集体を構成する有機顔料微粒子の表面が、疎水性化用分散剤で被覆されている状態の凝集体をさす。ここで、親・疎水性について定量化していう場合、沖津俊直により提案されている溶解性パラメータ（ＳＰ値）の理論式（日本接着学会誌Ｖｏｌ．２９，Ｎｏ．６（１９９３）２４９〜２５９項）を用いて、分散剤について計算した値が２０ＭＰａ１／２未満であるとき、該分散剤を疎水性化用分散剤という。
本発明においては、有機高分子化合物の添加は、親水性凝集体を含む水性分散液に対して行うことが好ましい。
【００５７】
疎水性凝集体としては、平均粒径が１０μｍ以上であることが好ましく、大きければ大きいほうがより好ましい。１０μｍ未満であると、凝集体の単離に多大な時間を要したり、ろ取しようとしてもろ紙、あるいはフィルタを通り抜けてしまったり、目詰りしたりする。ここで言う平均粒径とは、凝集体を光学顕微鏡で観察し、別途観察したモノサシを比較に測定した凝集体の直径である。ここで言う直径とは、凝集体の端から端の長さを測定し、その長さが最も長いところを直径と定義する。本発明における凝集体とは、一次粒子が二つ以上寄り集まって大きく成長して二次粒子になったものであり、沈降物として液中に存在しても、粉末ないしペースト状の集合体であっても、二次粒子が分散して媒体中に存在する二次粒子分散体であってもよい。
【００５８】
本発明の顔料組成物（本発明において「組成物」とは、２種以上の成分が極端に偏在せず、全体として実質的に均質に存在したまとまりをいい、液状であっても、固体状ないしペースト状であってもよく、上記の条件を満たせば、前記の凝集体を含む意味である。）に含有させる特定の架橋高分子化合物は、ポリアクリレート、ポリメタクリレート、ポリスチレン、ポリアクリルアミド、ポリメタクリルアミド、ポリビニルアミド、及びポリビニルエーテルからなる架より選ばれる高分子構造部の１種以上を有する（本発明において所定のポリマーの高分子構造部ないし高分子骨格を有するというとき、対象とされる高分子化合物がその少なくとも一部において上記所定のポリマーと同じ分子構造を有することをいう。ただし、上記所定のポリマーと同じ分子構造の部分は何箇所あってもよく、この部分に任意の置換基や側鎖があってもよい。）主鎖に数平均分子量が５００以上である高分子鎖を側鎖として有するグラフト型ポリマーが、その主鎖において橋架けされた架橋体化合物とである。
【００５９】
そして前記架橋高分子化合物が下記一般式（１）で表される繰り返し単位（１−１）〜（１−３）を有する構造であることが好ましい。
【００６０】
【化３】
2010084037.tif 000004
式中、Ａ１、Ａ２、Ａ２、及びＡ４はそれぞれ独立に水素原子またはメチル基を表す。Ｒ１はカルボン酸、スルホン酸、リン酸、または窒素原子を１つ以上有するヘテロ環基を表す。Ｐ１は前記側鎖をなす数平均分子量５００以上の高分子鎖を表す。Ｌは架橋部をなす２価の連結基を表す。ここで繰り返し単位（１−３）について補足すると、置換基Ａ３側のユニットと置換基Ａ４側のユニットとが連結基Ｌにより架橋連結されたことを意味している。すなわち換言すれば、上記一般式（１）で表される架橋高分子化合物の構造は、繰り返し単位（１−１），（１−２），及び（１−３）の上記置換基Ａ３側のユニットを有するグラフト型ポリマーと、繰り返し単位（１−１），（１−２），及び（１−３）の上記置換基Ａ４側のユニットを有する別のグラフト型ポリマーとが連結基Ｌで架橋連結された構造ということができる。このとき、１つのグラフト型ポリマーに連結基Ｌが多数含まれ多くの箇所で架橋連結されていたり、３つ以上のグラフト型ポリマーが架橋連結されていたりしてもよいことは言うまでもない。
本発明においては、上記架橋高分子化合物が、多数のグラフト型ポリマーからなり、互いに多数の連結位置で架橋連結された網目状の架橋高分子化合物であることが好ましい。
【００６１】
さらに、前記高分子化合物が下記一般式（２）で表される繰り返し単位を有する構造であることが特に好ましい。
【００６２】
【化４】
2010084037.tif 000005
式中、Ａ１-１、Ａ１-２、Ａ２、及びＡ３はそれぞれ独立に水素原子またはメチル基を表す。Ｒ２は窒素原子を１つ以上有するヘテロ環基を表す。Ｘは−Ｏ−、−ＮＨ−、または−Ｏ−Ｙ−ＮＨ−ＣＯ−Ｚ−を表し、Ｙは炭素数１〜４のアルキレン基を表し、Ｚは−Ｏ−または−ＮＨ−を表す。Ｐ２は前記側鎖をなす数平均分子量５００以上の高分子鎖を表す。Ｌは前記橋架けをなす２価の連結基を表す。繰り返し単位（２−４）については、上記繰り返し単位（１−３）と同様である。
【００６３】
さらに上記架橋高分子化合物における前記数平均分子量５００以上の高分子鎖が疎水性であることが好ましく、該数平均分子量５００以上の高分子鎖が非水性媒体に親和性があり、且つ非水性媒体中で有機顔料微粒子を分散させる作用を有することがより好ましく、該架橋高分子化合物が有機顔料微粒子に親和性のある構造部位も有することが特に好ましい。
【００６４】
該架橋高分子化合物は、親水性凝集体に作用し、有機顔料微粒子に親和性のある構造部位が、水性凝集体表面あるいは該凝集体を構成する有機顔料微粒子表面を被覆し、結果的に該凝集体あるいは該粒子を、非水性媒体に親和性のある構造部位により疎水化することができる。更に橋掛け構造を有するにも関わらず、各ポリマーがグラフト鎖を有し該高分子鎖が密に接近しているため、見かけ上の分子量が下がり、コンパクトになっている。そのため、前記親水性凝集体の隙間に侵入しやく、有機顔料微粒子表面を被覆しやすいと推定している。
【００６５】
本発明における特定の架橋高分子化合物は、凝集した有機顔料微粒子に吸着させることが好ましい。このとき、該高分子化合物は橋掛け構造を有するため、その吸着が強くなり、有機顔料微粒子から脱離しにくくなる。このため、ろ過、洗浄、再分散等の工程を経た後も、該有機高分子化合物がそのまま非水性媒体中で分散剤として作用できるため、新たに相当量の分散剤を添加する必要がなく好ましい。分散性の調整のため、分散剤を後で新たに添加してもよいが、製造コストの観点から添加しないほうが好ましい。
【００６６】
さらに本発明における凝集体を構成する有機顔料微粒子は、好ましくは、架橋高分子化合物にコーティングされた状態で凝集しているので、このような架橋高分子化合物なしで凝集した場合、例えば、塩酸などで凝集させた場合に比べ、その後の再分散が容易で、有機顔料微粒子が一次粒子にまでほぐれやすく、コントラストが高くなる。
【００６７】
該架橋高分子化合物はそのまま添加してもよいが、これを溶媒に溶解して添加するほうが、良好なろ過性を得るという観点で好ましい。その溶解用溶媒としては、有機顔料微粒子水性分散液と混和でき、且つ該架橋高分子化合物を溶解可能であり、さらに、添加後も該架橋高分子化合物がそれ自身で析出してしまわなければ、特に制限はない。
【００６８】
架橋高分子化合物溶解用溶媒としては、例えば、水性溶媒（例えば、水、または塩酸、水酸化ナトリウム水溶液）、アルコール化合物溶媒、アミド化合物溶媒、ケトン化合物溶媒、エーテル化合物溶媒、芳香族化合物溶媒、二硫化炭素溶媒、脂肪族化合物溶媒、ニトリル化合物溶媒、スルホキシド化合物溶媒、ハロゲン化合物溶媒、エステル化合物溶媒、イオン性液体、これらの混合溶媒などが挙げられ、水性溶媒、アルコール化合物溶媒、ケトン化合物溶媒、エーテル化合物溶媒、スルホキシド化合物溶媒、エステル化合物溶媒、アミド化合物溶媒、ニトリル化合物溶媒、またはこれらの混合物が好ましく、特にケトン化合物溶媒、エーテル化合物溶媒、ニトリル化合物溶媒、またはこれらの混合物がより好ましい。
【００６９】
アルコール化合物溶媒としては、例えば、メタノール、エタノール、イソプロピルアルコール、ｎ−プロピルアルコール、１−メトキシ−２−プロパノールなどが挙げられる。ケトン化合物溶媒としては、例えば、アセトン、メチルエチルケトン、メチルイソブチルケトン、シクロヘキサノンが挙げられる。エーテル化合物溶媒としては、例えば、ジメチルエーテル、ジエチルエーテル、テトラヒドロフランなどが挙げられる。芳香族化合物溶媒としては、例えば、ベンゼン、トルエンなどが挙げられる。脂肪族化合物溶媒としては、例えば、ヘキサンなどが挙げられる。ニトリル化合物溶媒としては、例えば、アセトニトリルなどが挙げられる。ハロゲン化合物溶媒としては、例えば、ジクロロメタン、トリクロロエチレンなどが挙げられる。エステル化合物溶媒としては、例えば、酢酸エチル、乳酸エチル、２−（１−メトキシ）プロピルアセテートなどが挙げられる。イオン性液体としては、例えば、１−ブチル−３−メチルイミダゾリウムとＰＦ6-との塩などが挙げられる。
【００７０】
架橋高分子化合物溶解用溶媒の使用量としては、架橋高分子化合物を溶解でき、ろ過容易な疎水性凝集体が形成できる量であれば、特に制限はないが、製造の煩雑さ、原材料コストをより低減させることを考慮して、できる限り少量であることが好ましい。これを質量比で示すと、有機顔料微粒子水性分散液を１００としたとき、添加される溶媒は０〜１００の範囲であることが好ましく、より好ましくは０〜７０の範囲が特に好ましい。多すぎるとろ過に多大な時間がかかることがある。
【００７１】
該架橋高分子化合物を添加した後、有機顔料微粒子水性分散液と十分に混合するように撹拌することが好ましい。撹拌混合は通常の方法を用いることができる。該有機高分子化合物を添加し混合するときの温度に特に制約はないが、１〜１００℃であることが好ましく、５〜６０℃であることがより好ましい。該架橋高分子化合物の添加、混合はそれぞれの工程を好ましく実施できるものであればどのような装置を用いてもよいが、例えば、撹拌羽、ラモンドスターラーなどの装置を用いて実施できる。
【００７２】
なお、架橋高分子化合物の添加量は、顔料に対して１質量％以上１０００質量％以下が好ましく、１０質量％以上２００質量％以下がより好ましく、２０質量％以上１００質量％以下がより好ましい。１質量％未満ではナノ粒子の疎水性化（非水性化）効果が少なくなり、１０００質量％を超えると、再分散時の粘度上昇等の問題が発生し易くなる。本発明においては、架橋高分子化合物の質量平均分子量は１０００以上であることが好ましい。特に上限はないが、３００００００以下であることがより好ましく、より好ましくは、３０００以上で３０００００以下であることが好ましく、特に好ましくは、５０００以上で１０００００以下である。
【００７３】
なお、本発明において単に分子量というときには質量平均分子量を意味し、また質量平均分子量は、特に断らない限り、ゲルパーミエーションクロマトグラフィ（キャリア：テトラヒドロフラン）により測定されるポリスチレン換算の平均分子量である。
【００７４】
本発明に用いうる架橋高分子化合物をなすグラフト型ポリマーとしては、ＢＹＫ  Ｃｈｅｍｉｅ社製「Ｄｉｓｐｅｒｂｙｋ−１１０（酸基を含む共重合物）、１３０（ポリアミド）、１６１、１６２、１６３、１６４、１６５、１６６、１７０（高分子共重合物）」、「ＢＹＫ−Ｐ１０４、Ｐ１０５（高分子量不飽和ポリカルボン酸）、ＥＦＫＡ社製「ＥＦＫＡ４０４７、４０５０、４０１０、４１６５（ポリウレタン系）、ＥＦＫＡ４３３０、４３４０（ブロック共重合体）、４４００、４４０２（変性ポリアクリレート）、５０１０（ポリエステルアミド）、５７６５（高分子量ポリカルボン酸塩）、６２２０（脂肪酸ポリエステル）」、味の素ファンテクノ社製「アジスパーＰＢ８２１、ＰＢ８２２」、共栄社化学社製「フローレンＴＧ−７１０（ウレタンオリゴマー）」、「ポリフローＮｏ．５０Ｅ、Ｎｏ．３００（アクリル系共重合体）」、楠本化成社製「ディスパロンＫＳ−８６０、８７３ＳＮ、８７４、＃２１５０（脂肪族多価カルボン酸）、＃７００４（ポリエーテルエステル）、ＤＡ−７０３−５０、ＤＡ−７０５、ＤＡ−７２５」、花王社製「デモールＲＮ、Ｎ（ナフタレンスルホン酸ホルマリン重縮合物）、ＭＳ、Ｃ、ＳＮ−Ｂ（芳香族スルホン酸ホルマリン重縮合物）」、「ホモゲノールＬ−１８（高分子ポリカルボン酸）」、「エマルゲン９２０、９３０、９３５、９８５（ポリオキシエチレンノニルフェニルエーテル）」、「アセタミン８６（ステアリルアミンアセテート）」、ルーブリゾール社製「ソルスパース５５０００（グラフト型高分子）、１３２４０（ポリエステルアミン）、３０００、１７０００、２７０００（末端部に機能部を有する高分子）、２４０００、２８０００、３２０００、３８５００（グラフト型高分子）」、日光ケミカル社製「ニッコールＴ１０６（ポリオキシエチレンソルビタンモノオレート）、ＭＹＳ−ＩＥＸ（ポリオキシエチレンモノステアレート）」等を用いてもよい（いずれも商品名）。
【００７５】
本発明における架橋高分子化合物は、単独で用いてもよく、２種以上用いてもよい。また架橋高分子化合物は、単独で用いてもよいし、２種以上用いてもよい。
【００７６】
さらに、架橋高分子化合物をなすグラフト型ポリマーは、以下の（Ａ）〜（Ｅ）のモノマーの少なくとも１つを用いて共重合させて得られる高分子化合物が好ましい。
（Ａ）酸性基、塩基性基の少なくともどちらか一方を含有するモノマー
（Ｂ）含窒素ヘテロ環を含有するモノマー
（Ｃ）非水性媒体と親和性があるモノマー
（Ｄ）水性媒体中に存在する有機顔料微粒子と親和性のあるモノマー
（Ｅ）二官能性モノマー
（Ａ）〜（Ｅ）成分の組み合わせのうち、（Ａ）、（Ｃ）、（Ｅ）の成分を組み合わせることが好ましく、（Ａ）、（Ｂ）、（Ｃ）、（Ｅ）の成分を組み合わせることがより好ましく、（Ａ）、（Ｂ）、（Ｃ）、（Ｄ）、（Ｅ）の成分を組み合わせることが特に好ましい。
【００７７】
（Ａ）の酸性基、塩基性基の少なくともどちらか一方を含有するモノマーとしては、得られた架橋高分子化合物が有機顔料微粒子に酸塩基相互作用を介して吸着し得る構造が好ましく、カルボン酸基、スルホン酸基、リン酸基、アミノ基、アミド基、ウレア基を含むモノマーが挙げられ、より好ましくは、カルボン酸基、スルホン酸基、リン酸基などの酸性基を含有するモノマーであり、酸性基の中でも特に好ましくは、カルボン酸である。そのようなモノマーの具体例を以下に示すが、これらに限定されるものではない。
【００７８】
【化５】
2010084037.tif 000006
【００７９】
【化６】
2010084037.tif 000007
【００８０】
（Ｂ）の含窒素ヘテロ環を含有するモノマーとしては、得られた架橋高分子化合物ないしそれをなすグラフト型ポリマーが有機顔料微粒子に水素結合相互作用、ファンデルワールス相互作用、双極子−双極子相互作用などを介して吸着し得る構造が好ましく、ベンズイミダゾロン基、ベンズイミダゾール基、アントラキノン基、ウラシル基、アクリドン基、ナフタルイミド基、カルバゾール基、ピリジル基、イミダゾリル基、スクシンイミド基、ベンゾピロール基などを有するモノマーが挙げられ、具体例を以下に示すが、これらに限定されるものではない。
【００８１】
【化７】
2010084037.tif 000008
【００８２】
（Ｃ）の非水性媒体と親和性があるモノマーとしては、特に限定されないが、後述の再分散する際に用いる非水性媒体に溶解するものであることが好ましく、非水性媒体中で有機顔料微粒子の分散を立体反発力で安定化し得る構造であることがより好ましい。
（Ｃ）のモノマーとしては、ポリスチレン骨格、ポリメチルメタクリレート骨格、ポリ−ｎ−ブチルメタクリレート骨格、ポリ−２−ヒドロキシエチルメタクリレート骨格、ポリ−２−エチルヘキシルメタクリレート骨格、ポリエチレンオキシド骨格、ポリプロピレンオキシド骨格、ポリ（エチレンオキシド／プロピレンオキシド）骨格、ポリカプロラクト骨格を含有することが好ましく、ポリスチレン骨格、ポリメチルメタクリレート骨格、ポリエチレングオキシド骨格、ポリプロピレンオキシド骨格、ポリメチルメタクリレート骨格、ポリ（エチレンオキシド／プロピレンオキシド）骨格、ポリカプロラクトン骨格を含有することがより好ましく、ポリメチルメタクリレート骨格、ポリプロピレンオキシド骨格、ポリメチルメタクリレート骨格、ポリ（エチレンオキシド／プロピレンオキシド）骨格、ポリカプロラクトン骨格が特に好ましい。
【００８３】
またこのモノマーは市販品であってよく、また適宜合成したものであってもよい。
市販品としては具体的には、片末端メタクリロイル化ポリスチレンオリゴマー（Ｍｎ＝６０００、商品名：ＡＳ−６，東亜合成化学工業（株）社製）、片末端メタクリロイル化ポリメチルメタクリレートオリゴマー（Ｍｎ＝６０００、商品名：ＡＡ−６，東亜合成化学工業（株）社製）、片末端メタクリロイル化ポリ−ｎ−ブチルアクリレートオリゴマー（Ｍｎ＝６０００、商品名：ＡＢ−６，東亜合成化学工業（株）社製）、片末端メタクリロイル化ポリメチルメタクリレート／２−ヒドロキシエチルメタクリレートオリゴマー（Ｍｎ＝７０００、商品名：ＡＡ−７１４，東亜合成化学工業（株）社製）、片末端メタクリロイル化ポリブチルメタクリレート／２−ヒドロキシエチルメタクリレートオリゴマー（Ｍｎ＝７０００、商品名：７０７Ｓ，東亜合成化学工業（株）社製）、片末端メタクリロイル化ポリ２−エチルヘキシルメタクリレート／２−ヒドロキシエチルメタクリレートオリゴマー（Ｍｎ＝７０００、商品名：ＡＹ−７０７Ｓ、ＡＹ−７１４Ｓ，東亜合成化学工業（株）社製）、メトキシポリエチレングリコールメタクリレート（商品名：ＮＫエステルＭ−４０Ｇ，Ｍ−９０Ｇ，Ｍ−２３０Ｇ（以上、東亜合成化学工業（株）社製）；商品名：ブレンマーＰＭＥ−１００，ＰＭＥ−２００，ＰＭＥ−４００，ＰＭＥ−１０００，ＰＭＥ−２０００、ＰＭＥ−４０００（以上、日本油脂（株）社製））、ポリエチレングリコールモノメタクリレート（商品名：ブレンマーＰＥ−９０、ＰＥ−２００、ＰＥ−３５０，日本油脂（株）社製）、ポリプロピレングリコールモノメタクリレート（商品名：ブレンマーＰＰ−５００、ＰＰ−８００、ＰＰ−１０００，日本油脂（株）社製）、ポリエチレングリコールポリプロピレングリコールモノメタクリレート（商品名：ブレンマー７０ＰＥＰ−３７０Ｂ，日本油脂（株）社製）、ポリエチレングリコールポリテトラメチレングリコールモノメタクリレート（商品名：ブレンマー５５ＰＥＴ−８００，日本油脂（株）社製）、ポリプロピレングリコールポリテトラメチレングリコールモノメタクリレート（商品名：ブレンマーＮＨＫ−５０５０，日本油脂（株）社製）などが挙げられる。
【００８４】
合成品の具体例としては、ドデシルアミン、デシルアミン、２−エチルヘキサノール、オクタノール、ヘキサノール、ブタノール、プロパノールなどのアルコール、あるいはドデシルアミン、デシルアミン、２−エチルヘキシルアミン、オクチルアミン、ヘキシルアミン、ブチルアミン、プロピルアミン、ジエチルアミノプロピルアミン、ジメチルアミノプロピルアミンなどのアミンとε―カプロラクトンとの開環重合により得られるポリカプロラクトンオリゴマーや、メトキシポリエチレンオキシド／ポリプロピレンオキシドランダム共重合片末端一級アミノ基オリゴマー（商品名：Ｊｅｆｆａｍｉｎｅ２００５、Ｊｅｆｆａｍｉｎｅ６００、Ｊｅｆｆａｍｉｎｅ２０７０、Ｊｅｆｆａｍｉｎｅ１０００、Ｊｅｆｆａｍｉｎｅ６００、ＨＵＮＴＳＭＡＮ社製）、またはモノブトキシポリプロピレングリコールオリゴマー（アルドリッチ社製）などと、（メタ）アクリロイルオキシエチルイソシアネート、または(メタ)アクリル酸クロリドと反応させて得られる片末端に重合性基を有するオリゴマーが挙げられる。また、前記ε―カプロラクトンとの開環重合により得られるポリカプロラクトンオリゴマーの合成においては、前記アルコールやアミンの代わりに、前記メトキシポリエチレンオキシド／ポリプロピレンオキシドランダム共重合片末端一級アミノ基オリゴマーを用いてもよい。
【００８５】
（Ｄ）の水性媒体中に存在する有機顔料微粒子と親和性のあるモノマーとしては、特に限定されないが、水性媒体中に存在する有機顔料微粒子と親和性があることが好ましく、非水性媒体とも親和性があってもよく、オリゴマーを含有するモノマーであっても、低分子モノマーであってもよい。
該モノマーとしては、(Ｄ）のモノマーを（Ｃ）のモノマーと同時に用いる場合は、（Ｃ）のモノマーと同一のものでなく、（Ｃ）より親水性が高いものであることがより好ましい。
【００８６】
（Ｄ）のオリゴマーを含有するモノマーとしては、ポリスチレン骨格、ポリメチル（メタ）アクリレート骨格、ポリ−ｎ−ブチル（メタ）アクリレート骨格、ポリ−２−ヒドロキシエチル（メタ）アクリレート骨格、ポリ−２−エチルヘキシル（メタ）アクリレート骨格、ポリエチレンオキシド骨格、ポリプロピレンオキシド骨格、ポリ（エチレンオキシド／プロピレンオキシド）骨格、ポリカプロラクトン骨格、ポリビニルピロリドン骨格、ポリビニルアセタミド骨格、ポリ（メタ）アクリルアミド骨格を含有することが好ましく、ポリエチレンオキシド骨格、ポリプロピレンオキシド骨格、ポリ（エチレンオキシド／プロピレンオキシド）骨格、ポリカプロラクトン骨格、ポリビニルピロリドン骨格、ポリビニルアセタミド骨格、ポリ（メタ）アクリルアミド骨格を含有することがより好ましく、ポリエチレンオキシド骨格、ポリ（エチレンオキシド／プロピレンオキシド）骨格、ポリビニルピロリドン骨格、ポリビニルアセタミド骨格、ポリ（メタ）アクリルアミド骨格を含有することが特に好ましい。
【００８７】
また該オリゴマーを含有するモノマーは市販品であってよく、また適宜合成したものであってもよい。
該オリゴマーを含有するモノマーの市販品としては、具体的には、メトキシポリエチレングリコールメタクリレート（商品名：ＮＫエステルＭ−４０Ｇ，Ｍ−９０Ｇ，Ｍ−２３０Ｇ（以上、東亜合成化学工業（株）社製）；商品名：ブレンマーＰＭＥ−１００，ＰＭＥ−２００，ＰＭＥ−４００，ＰＭＥ−１０００，ＰＭＥ−２０００、ＰＭＥ−４０００（以上、日本油脂（株）社製））、ポリエチレングリコールモノメタクリレート（商品名：ブレンマーＰＥ−９０、ＰＥ−２００、ＰＥ−３５０，日本油脂（株）社製）、ポリプロピレングリコールモノメタクリレート（商品名：ブレンマーＰＰ−５００、ＰＰ−８００、ＰＰ−１０００，日本油脂（株）社製）、ポリエチレングリコールポリプロピレングリコールモノメタクリレート（商品名：ブレンマー７０ＰＥＰ−３７０Ｂ，日本油脂（株）社製）、ポリエチレングリコールポリテトラメチレングリコールモノメタクリレート（商品名：ブレンマー５５ＰＥＴ−８００，日本油脂（株）社製）、ポリプロピレングリコールポリテトラメチレングリコールモノメタクリレート（商品名：ブレンマーＮＨＫ−５０５０，日本油脂（株）社製）などが挙げられる。
【００８８】
該オリゴマーを含有するモノマーの合成品としては、具体例としては、メトキシポリエチレングリコールポリプロピレングリコールランダム共重合片末端一級アミノ基オリゴマー（商品名：Ｊｅｆｆａｍｉｎｅ１０００、Ｊｅｆｆａｍｉｎｅ２０７０、ＨＵＮＴＳＭＡＮ社製）、メトキシポリエチレングリコールオリゴマー（アルドリッチ社製、）、２−メルカプトエタノール、３−メルカプトー１，２−プロパンジオールなどを連鎖移動剤として用いて、ビニルピロリドン、２−ヒドロキシエチルメタクリレート、２−ヒドロキシエチルアクリルアミド、アクリルアミド、ビニルアセトアミド、Ｎ，Ｎ‘−ジメチル（メタ）アクリルアミド、Ｎ−メチルメタクリルアミド、Ｎ，Ｎ‘−ジエチルアクリルアミド、Ｎ−イソプロピルアクリルアミド、Ｎ−ｔ−ブチルアクリルアミド、アリル尿素を重合して得られるオリゴマーなどと、（メタ）アクリロイルオキシエチルイソシアネート、または(メタ)アクリル酸クロリドと反応させて得られる片末端に重合性基を有するオリゴマーが挙げられる。
【００８９】
また、低分子モノマーとしては、具体的には、ビニルピロリドン、２−ヒドロキシエチルメタクリレート、２−ヒドロキシエチルアクリルアミド、アクリルアミド、ビニルアセトアミド、Ｎ，Ｎ‘−ジメチル（メタ）アクリルアミド、Ｎ−メチルメタクリルアミド、Ｎ，Ｎ‘−ジエチルアクリルアミド、Ｎ−イソプロピルアクリルアミド、Ｎ−ｔ−ブチルアクリルアミド、アリル尿素、イソプロペニルメチルエーテル、酢酸ビニル、プロピオン酸ビニル、アクリル酸が挙げられ、ビニルピロリドン、２−ヒドロキシエチルメタクリレート、２−ヒドロキシエチルアクリルアミド、アクリルアミド、ビニルアセトアミド、Ｎ，Ｎ‘−ジメチル（メタ）アクリルアミド、Ｎ−メチルメタクリルアミド、Ｎ，Ｎ‘−ジエチルアクリルアミドがより好ましい。
【００９０】
（Ｅ）の二官能性モノマーとしては、特に限定されないが、１種だけ用いても良く、２種以上併せて用いても良い。更に（Ａ）〜（Ｄ）のモノマーと共重合性が良いことが好ましい。該二官能モノマーの官能性基としては、（メタ）アクリレート骨格、スチレン骨格、（メタ）アクリルアミド骨格、ジビニルアミド骨格が好ましく、（メタ）アクリレート骨格、スチレン骨格がより好ましい。
【００９１】
以下、（Ｅ）の二官能性モノマーの具体例を示すが、これらに限定されるものではない。
【００９２】
【化８】
2010084037.tif 000009
【００９３】
（Ａ）〜（Ｅ）のモノマーの少なくとも１つを共重合させて得られる高分子化合物においては、質量比で（Ａ）：（Ｂ）：（Ｃ）：（Ｄ）：（Ｅ）＝（１〜６０）：（０〜５０）：（２０〜９０）：（０〜６０）：（１〜２０）であることが好ましく、これら質量比は総和が１００となるように適宜選ばれる。
【００９４】
（Ａ）〜（Ｅ）のモノマーの少なくとも１つを共重合させて得られる高分子化合物は、（Ａ）〜（Ｅ）のモノマーを、例えば、溶媒中でラジカル重合させることにより得ることができる。該ラジカル重合の際、ラジカル重合開始剤を使用することができ、また、更に連鎖移動剤（例、２−メルカプトエタノール及びドデシルメルカプタン）を使用することができる。共重合体を含有する顔料分散剤については特開２００１−３１８８５号公報の記載を参考に合成することもできる。
【００９５】
以下に（Ａ）〜（Ｅ）のモノマーの少なくとも１つを共重合させて得られる架橋高分子化合物の具体例を示すが、これらに限定されるものではない。また、以下の具体例において、構成される高分子化合物の末端に各繰返し単位が位置する場合にはその繰返し単位の末端は水素原子又は任意の末端基によって置換されていると解すればよい。なお、重合比ｅの繰り返し単位は被架橋ユニットどうしが架橋して連結されたことを示しており、前記一般式（１）（２）の繰り返し単位（１−３）ないし（２−４）に相当する。
【００９６】
【化９】
2010084037.tif 000010
【００９７】
【化１０】
2010084037.tif 000011
【００９８】
【化１１】
2010084037.tif 000012
【００９９】
【化１２】
2010084037.tif 000013
【０１００】
【化１３】
2010084037.tif 000014
【０１０１】
【化１４】
2010084037.tif 000015
【０１０２】
以下、本発明の顔料組成物を用いて得た有機顔料微粒子の疎水性凝集体の単離方法の好ましい実施態様について説明する。
まず単離前に、凝集した液を０．５〜２時間静置することが好ましい。凝集体が沈降するので、上澄みをデカントしたり、吸い取ることにより除去でき、凝集体の単離がさらに容易になる。また静置の代わりに遠心分離を行うことで、より速い凝集体の沈降が可能であり、時間短縮ができる。
単離方法としては、種種のろ取方法が可能であり、限界ろ過、遠心分離、ろ紙やフィルタによるろ過が挙げられる。
【０１０３】
限外ろ過による場合、例えばハロゲン化銀乳剤の脱塩／濃縮に用いられる方法を適用することができる。リサーチ・ディスクロージャー（Ｒｅｓｅａｒｃｈ  Ｄｉｓｃｌｏｓｕｒｅ）Ｎｏ．１０２０８（１９７２）、Ｎｏ．１３  １２２（１９７５）およびＮｏ．１６  ３５１（１９７７）に記載の方法が知られている。操作条件として重要な圧力差や流量は、大矢春彦著「膜利用技術ハンドブック」幸書房出版（１９７８）、ｐ２７５に記載の特性曲線を参考に選定することができるが、目的の有機ナノ粒子分散物を処理する上では、粒子の必要以上の凝集を抑えるために最適条件を見いだす必要がある。また、膜透過より損失する溶媒を補充する方法においては、連続して溶媒を添加する定容式と断続的に分けて添加する回分式とがあるが、脱塩処理時間が相対的に短い定容式が好ましい。こうして補充する溶媒には、イオン交換または蒸留して得られた純水を用いるが、純水の中に分散剤、分散剤の貧溶媒を混合してもよいし、有機ナノ粒子分散物に直接添加してもよい。
【０１０４】
フィルタろ過は、例えば、加圧ろ過のような装置を用いることができる。好ましいフィルタとしては、ろ紙、ナノフィルタ、ウルトラフィルタなどが挙げられる。
【０１０５】
遠心分離による有機ナノ粒子の濃縮に用いられる遠心分離機は有機ナノ粒子分散液（または有機ナノ粒子濃縮抽出液）中の有機ナノ粒子を沈降させることができればどのような装置を用いてもよい。遠心分離機としては、例えば、汎用の装置の他にもスキミング機能（回転中に上澄み層を吸引し、系外に排出する機能）付きのものや、連続的に固形物を排出する連続遠心分離機などが挙げられる。
【０１０６】
遠心分離条件は、遠心力（重力加速度の何倍の遠心加速度がかかるかを表す値）で５０〜１００００が好ましく、１００〜８０００がより好ましく、１５０〜６０００が特に好ましい。遠心分離時の温度は、分散液の溶剤種によるが、−１０〜８０℃が好ましく、−５〜７０℃がより好ましく、０〜６０℃が特に好ましい。
【０１０７】
単離した凝集体については、脱塩、脱水、余分な分散剤の除去を目的に、洗浄を行うこともできる。洗浄操作は、限界ろ過、遠心分離、ろ紙やフィルタによるろ過の後に、そのまま洗浄液を添加してかけ洗いしてもよく、一旦凝集体を取り出し、洗浄液中でリスラリーした後に、限界ろ過、遠心分離、ろ紙やフィルタによるろ過で単離してもよく、それらを組み合わせた洗浄を行っても良い。
【０１０８】
また、洗浄は上述のような単離の後に行うことだけでなく、単離前に行うこともできる。凝集したナノ顔料粒子分散液を静置し、上澄み液を除き、洗浄液を添加し、リスラリーさせることにより達成される。リスラリーの後は、静置し、上澄み液を除き、ろ過してもよいが、そのままろ過してもよい。単離前に洗浄を行うと、凝集体が常に湿潤しているため、洗浄効率が上がるのみならず、後述の再分散がより容易になる。
【０１０９】
洗浄液としては、脱塩、脱水、余分な分散剤・凝集剤の除去が達成できれば、特に限定されないが、具体的には、水性溶媒（例えば、水、または塩酸、水酸化ナトリウム水溶液）、アルコール化合物溶媒、アミド化合物溶媒、ケトン化合物溶媒、エーテル化合物溶媒、芳香族化合物溶媒、二硫化炭素溶媒、脂肪族化合物溶媒、ニトリル化合物溶媒、スルホキシド化合物溶媒、ハロゲン化合物溶媒、エステル化合物溶媒、イオン性液体、これらの混合溶媒などが挙げられ、水性溶媒、アルコール化合物溶媒、ケトン化合物溶媒、エーテル化合物溶媒、ニトリル化合物溶媒、スルホキシド化合物溶媒、エステル化合物溶媒、アミド化合物溶媒、またはこれらの混合物が好ましく、特に水性溶媒、アルコール化合物溶媒、エステル化合物溶媒、ニトリル化合物溶媒が好ましい。
【０１１０】
単離された疎水性凝集体中には、有機顔料微粒子の他に分散剤、疎水性化用分散剤が含まれていることが好ましい。前記架橋高分子化合物を疎水性化用分散剤として機能させてもよく、該分散剤は、顔料に対して１質量％以上１０００質量％以下で共存していることが好ましい。更には、５質量％以上２００質量％以下がより好ましく、１０質量％以上１００質量％以下が特に好ましい。１質量％未満でも、１０００質量％を超えても、非水性媒体中での分散不良等の問題が発生し易くなる。疎水性化用分散剤は、顔料に対して１質量％以上１０００質量％以下が好ましく、１０質量％以上２００質量％以下がより好ましく、２０質量％以上１００質量％以下がより好ましい。１質量％未満では分散不良になり、１０００質量％を超えると、再分散時の粘度上昇等の問題が発生し易くなる。
【０１１１】
分散剤は、該有機顔料微粒子を非水性媒体中で分散する際に疎水性化用分散剤の該有機顔料微粒子への吸着を促し、保持する働きがある。そのため、分散剤が少なすぎると、疎水性化用分散剤が該有機顔料微粒子から脱着してしまい非水性媒体への再分散時に分散不良に陥ることがある。一方で、分散剤が親水性であり、その量が多すぎると、該分散剤に比べて相対的に疎水性化用分散剤が少なくなる。そのため、水性媒体中では疎水化効果が不十分となることがあり、非水性媒体中では再分散時に分散不良に陥ることがある。疎水性化用分散剤についてみると、少なすぎる場合は水性媒体中での該疎水性化分散剤による疎水化効果が不十分となることがある。一方、非水性媒体中では分散不良となることがある。疎水性化用分散剤が多すぎる場合は、有機顔料微粒子に吸着できない余分な疎水性化用分散剤が生じることとなり、再分散時に粘度上昇することがある。
【０１１２】
単離された凝集体は、そのまま後述の再分散を行っても、再分散溶媒（後述）で濡らした後再分散を行っても、乾燥して有機ナノ粒子分散物の粉体として取り出した後再分散を行っても良い。
【０１１３】
乾燥方法は特に制限されないが、凍結乾燥、減圧乾燥などが挙げられる。
凍結乾燥の方法については、特に限定されず、当業者が利用可能な方法であればいかなるものを採用してもよい。例えば、冷媒直膨方法、重複冷凍方法、熱媒循環方法、三重熱交換方法、間接加熱凍結方法が挙げられるが、好ましくは冷媒直膨方法、間接加熱凍結方法、より好ましくは間接加熱凍結方法を用いるのがよい。いずれの方法においても、予備凍結を行なった後凍結乾燥を行なうことが好ましい。予備凍結の条件は特に限定されないが、凍結乾燥を行なう試料がまんべんなく凍結されている必要がある。
【０１１４】
間接加熱凍結方法の装置としては、小型凍結乾燥機、ＦＴＳ凍結乾燥機、ＬＹＯＶＡＣ凍結乾燥機、実験用凍結乾燥機、研究用凍結乾燥機、三重熱交換真空凍結乾燥機、モノクーリング式凍結乾燥機、ＨＵＬＬ凍結乾燥機が挙げられるが、好ましくは小型凍結乾燥機、実験用凍結乾燥機、研究用凍結乾燥機、モノクーリング式凍結乾燥機、より好ましくは小型凍結乾燥機、モノクーリング式凍結乾燥機を用いるのがよい。
【０１１５】
凍結乾燥の温度は特に限定されないが、例えば−１９０〜−４℃、好ましくは−１２０〜−２０℃、より好ましくは−８０〜−６０℃程度である。凍結乾燥の圧力も特に限定されず、当業者が適宜選択可能であるが、例えば、０．１〜３５Ｐａ、好ましくは１〜１５Ｐａ、さらに好ましくは、５〜１０Ｐａ程度で行なうのがよい。凍結乾燥時間は、例えば２〜４８時間、好ましくは６〜３６時間、より好ましくは１６〜２６時間程度である。もっとも、これらの条件は当業者に適宜選択可能である。凍結乾燥方法については、例えば、製剤機械技術ハンドブック：製剤機械技術研究会編、地人書館、ｐ．１２０−１２９（２０００年９月）；真空ハンドブック：日本真空技術株式会社編、オーム社、ｐ．３２８−３３１（１９９２年）；凍結及び乾燥研究会会誌：伊藤孝治他、Ｎｏ．１５、ｐ．８２（１９６５）などを参照することができる。
【０１１６】
減圧乾燥による有機ナノ粒子の濃縮に用いられる装置は有機ナノ粒子分散液（または有機ナノ粒子濃縮抽出液）の溶媒を蒸発させることができれば特に制限はない。例えば、汎用の真空乾燥器およびロータリーポンプや、液を撹拌しながら加熱減圧乾燥できる装置、液を加熱減圧した管中に通すことによって連続的に乾燥ができる装置等が挙げられる。
【０１１７】
加熱減圧乾燥温度は３０〜２３０℃が好ましく、３５〜２００℃がより好ましく、４０〜１８０℃が特に好ましい。減圧時の圧力は、１００〜１０００００Ｐａが好ましく、３００〜９００００Ｐａがより好ましく、５００〜８００００Ｐａが特に好ましい。
【０１１８】
本発明においては、必要に応じて、凝集状態にある有機顔料微粒子を微細分散化することができる（本発明において、微細分散化または再分散とは、分散液中の粒子の凝集を解き分散度を高めることをいう）。本発明においては、得られた疎水性凝集体を非水性媒体中に再分散することが好ましい。（このようにして得られた分散物を非水性分散物ということがある。）
上記非水性媒体とは、水性媒体以外の媒体をいい、ケトン化合物溶媒、エステル化合物溶媒、芳香族化合物溶媒が好ましい。具体的には、メチルエチルケトン、シクロヘキサノン、酢酸エチル、酢酸ブチル、２−（１−メトキシ）プロピルアセテート、ニトロベンゼン、クロロベンゼン、ジクロロベンゼン  が挙げられ、中でも、メチルエチルケトン、シクロヘキサノン、２−（１−メトキシ）プロピルアセテート、クロロベンゼンが好ましい。
【０１１９】
上述した凝集化した有機顔料微粒子を、速やかなフィルタろ過が可能で良好な分散状態とするためには、有機顔料微粒子を再分散可能な程度に凝集させたフロックとして得ることが好ましい。ここでフロックとは、再分散しうる程度に弱く凝集させた（軟凝集させた）微粒子の集合体をいう。上記親水性凝集体および疎水性凝集体もフロックであることが好ましい。このように有機顔料微粒子をフロックとすることで、例えば水系の混合液中に析出させた有機顔料微粒子を素早くろ過等により媒体から分離することができる。そして、分離したフロック（軟凝集体）をカラーフィルタの作製に適した有機溶媒に再分散させ、効率良く有機溶媒系の顔料分散組成物（非水性分散組成物）とすることができる。すなわち、良溶媒及び貧溶媒の混合溶媒が水系の溶媒であるとき、これを効率的に有機溶媒からなる第３の溶媒へ置換し分散媒（連続相）を切り換えることができる。
【０１２０】
また、通常の分散化方法を用いて分散化した程度では微粒子化に不十分であり、さらに微細化効率の高い方法が必要となることがある。このような強い凝集状態の有機粒子においても（本発明において、凝集有機粒子とは、凝集体など有機粒子が二次的な力で集まっているものをいい、一次粒子がナノメートルサイズであるとき凝集ナノ粒子ということもある。）、凝集有機粒子液に質量平均分子量１０００以上の有機高分子化合物が含有されていることにより、有機粒子を好適に微細分散化した分散物とすることができる（本発明において、凝集有機粒子液とは、凝集有機粒子を液中に含むものをさし、分散液、濃縮液、ペースト、スラリーなどであっても凝集有機粒子が含まれればよい。）。さらに詳述すると、上記有機高分子化合物を用いることにより、良溶媒と貧溶媒との混合液に析出させたときの良好な微細分散性（均一で微小な粒径が実現される特性）及び分散安定性（均一で微細な粒径が長期間維持される特性）が、媒体をカラーフィルタに適した有機溶媒に切り換え再分散させた後も維持され、カラーフィルタにおける高性能を実現しうる。しかも、上記有機高分子化合物がカラーフィルタの光学特性等を妨げることなく、有機ナノ顔料微粒子の着色性と相互に作用しあいカラーフィルタにおける高性能を実現しうる。
【０１２１】
このようなナノ粒子の凝集体を微細分散化する方法として、例えば超音波による分散方法や物理的なエネルギーを加える方法を用いることができる。
【０１２２】
用いられる超音波照射装置は１０ｋＨｚ以上の超音波を印加できる機能を有することが好ましく、例えば、超音波ホモジナイザー、超音波洗浄機などが挙げられる。超音波照射中に液温が上昇すると、ナノ粒子の熱凝集が起こるため（非特許文献１参照）、液温を１〜１００℃とすることが好ましく、５〜６０℃がより好ましい。温度の制御方法は、分散液温度の制御、分散液を温度制御する温度調整層の温度制御、などによって行うことができる。
【０１２３】
物理的なエネルギーを加えて濃縮した有機ナノ粒子を分散させる際に使用する分散機としては、特に制限はなく、例えば、ニーダー、ロールミル、アトライダー、スーパーミル、ディゾルバ、ホモミキサー、サンドミル等の分散機が挙げられる。また、高圧分散法や、微小粒子ビーズの使用による分散方法も好適なものとして挙げられる。
【０１２４】
有機ナノ粒子分散物の好ましい製造方法としては、着色剤を樹脂成分で混練分散処理後の２５℃における粘度が１０，０００ｍＰａ・ｓ以上、望ましくは１００，０００ｍＰａ・ｓ以上の比較的高粘度になるように混練分散処理し、次いで溶剤を添加して、微分散処理後の粘度が１，０００ｍＰａ・ｓ以下、望ましくは１００ｍＰａ・ｓ以下の比較的低粘度になるように微分散処理する方法が好ましい。
【０１２５】
再分散処理で使用する機械は二本ロール、三本ロール、ボールミル、トロンミル、ディスパー、ニーダー、コニーダー、ホモジナイザー、ブレンダー、単軸および２軸の押出機等であり、強い剪断力を与えながら分散する。次いで、溶剤を加えて、主として縦型若しくは横型のサンドグラインダー、ピンミル、スリットミル、超音波分散機、高圧分散機等を使用し、０．１〜１ｍｍの粒径のガラス、ジルコニア等でできたビーズで微分散処理する。さらに０．１ｍｍ以下の微小粒子ビーズを用いて精密分散処理をすることもできる。
【０１２６】
また主顔料と補顔料を別々に分散処理した後、両者の分散液を混合して更に分散処理を加えたり、主顔料と補顔料をいっしょに分散処理することも可能である。
【０１２７】
尚、分散についての詳細はＴ．Ｃ．  Ｐａｔｔｏｎ著“Ｐａｉｎｔ  Ｆｌｏｗ  ａｎｄ  ピグメント  Ｄｉｓｐｅｒｓｉｏｎ”（１９６４年  Ｊｏｈｎ  Ｗｉｌｅｙ  ａｎｄ  Ｓｏｎｓ社刊）等にも記載されており、この方法を用いてもよい。
【０１２８】
再分散後の有機顔料微粒子分散物には、有機顔料微粒子の分散性を向上させる目的で通常の顔料分散剤や界面活性剤を添加することができる。これらの分散剤としては、多くの種類の化合物が用いられるが、例えば、フタロシアニン誘導体（市販品ＥＦＫＡ−６７４５（エフカ社製））、ソルスパース５０００（ゼネカ（株）社製）；オルガノシロキサンポリマーＫＰ３４１（信越化学工業（株）社製）、（メタ）アクリル酸系（共）重合体ポリフローＮｏ．７５、Ｎｏ．９０、Ｎｏ．９５（共栄社油脂化学工業（株）社製）、Ｗ００１（裕商社製）等のカチオン系界面活性剤；ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル等のノニオン系界面活性剤；Ｗ００４、Ｗ００５、Ｗ０１７（裕商社製）等のアニオン系界面活性剤；ＥＦＫＡ−４６、ＥＦＫＡ−４７、ＥＦＫＡ−４７ＥＡ、ＥＦＫＡポリマー１００、ＥＦＫＡポリマー４００、ＥＦＫＡポリマー４０１、ＥＦＫＡポリマー４５０（以上森下産業（株）社製）、ディスパースエイド６、ディスパースエイド８、ディスパースエイド１５、ディスパースエイド９１００（サンノプコ社製）等の高分子分散剤；ソルスパース３０００、５０００、９０００、１２０００、１３２４０、１３９４０、１７０００、２４０００、２６０００、２８０００などの各種ソルスパース分散剤（ゼネカ（株）社製）；アデカプルロニックＬ３１，Ｆ３８，Ｌ４２，Ｌ４４，Ｌ６１，Ｌ６４，Ｆ６８，Ｌ７２，Ｐ９５，Ｆ７７，Ｐ８４，Ｆ８７、Ｐ９４，Ｌ１０１，Ｐ１０３，Ｆ１０８、Ｌ１２１、Ｐ−１２３（旭電化（株）社製）およびイソネットＳ−２０（三洋化成（株）社製）が挙げられる。また、２０００−２３９５５４号公報に記載の顔料分散剤や、特公平５−７２９４３号公報に記載の化合物（Ｃ）や、特開２００１−３１８８５号公報に記載の合成例１の化合物なども好適に用いることができる。
【０１２９】
再分散後の有機ナノ粒子分散組成物においては、有機ナノ粒子（一次粒子）を微細分散化した粒子とすることができ、粒径を好ましくは１〜２００ｎｍとすることができ、２〜１００ｎｍがより好ましく、５〜５０ｎｍが特に好ましい。また、再分散後の粒子のＭｖ／Ｍｎは、１．０〜２．０であることが好ましく、１．０〜１．８であることがより好ましく、１．０〜１．５であることが特に好ましい。
【０１３０】
本発明によれば、顔料微粒子をナノメートルサイズ（例えば、１０〜１００ｎｍ）という微小な粒径にもかかわらず、効率的に濃縮再分散化することができ、例えば、有機顔料微粒子分散組成物や後述する着色感光性樹脂組成物とすることができる。このため、これらの組成物をカラーフィルタに用いたときには、光学濃度が高く、フィルタ表面の均一性に優れ、コントラストが高く、かつ画像のノイズを少なくすることができる。
【０１３１】
さらに、有機顔料微粒子分散組成物、着色感光性組成物に含まれる有機顔料微粒子を、高度に、また均一に、微細分散化することができるため、薄い膜厚さで、高い着色濃度を発揮し、例えばカラーフィルタ等の薄層化を可能とするものである。
【０１３２】
また有機顔料微粒子分散組成物、着色感光性樹脂組成物において、鮮明な色調と高い着色力とを示す顔料を含有させることで、例えばカラープルーフやカラーフィルタ等を作製するための画像形成材料として優れている。
【０１３３】
さらに、着色画像形成時の露光・現像に用いられるアルカリ性の現像液に対して、有機ナノ粒子分散組成物、着色感光性樹脂組成物に、結合剤（バインダー）としてアルカリ性水溶液に可溶なものを用いることができ、環境上の要求にも応えることができる。
【０１３４】
また有機顔料微粒子分散組成物、着色感光性樹脂組成物に用いられる溶媒（顔料の分散媒）として適度な乾燥性を有する有機溶媒を用いることができ、塗布後の乾燥の点でもその要求を満足することができる。
【０１３５】
[着色感光性樹脂組成物］
本発明の着色感光性樹脂組成物は、少なくとも、（ａ）有機顔料組成物、（ｂ）バインダー、（ｃ）モノマーもしくはオリゴマー、および（ｄ）光重合開始剤もしくは光重合開始剤系を含む。以下、本発明の着色感光性樹脂組成物の各成分について説明する。
【０１３６】
（ａ）有機顔料組成物
有機顔料組成物を作製する方法については既に詳細に述べた。有機ナノ顔料粒子の含有量は、着色感光性樹脂組成物中の全固形分（本発明において、全固形分とは、有機溶媒を除く組成物合計をいう。）に対し、３〜９０質量％が好ましく、２０〜８０質量％がより好ましく、２５〜６０質量％がさらに好ましい。この量が多すぎると分散液の粘度が上昇し製造適性上問題になることがある。少なすぎると着色力が十分でない。着色剤として機能する有機ナノ顔料粒子としては、粒径０．１μｍ以下、特には粒径０．０８μｍ以下であることが好ましい。また、調色のために通常の顔料と組み合わせて用いてもよい。顔料は上記で記述したものを用いることができる。本発明においては、有機ナノ粒子は、上記の有機ナノ顔料非水性分散物として用いられることが好ましい。
【０１３７】
（ｂ）バインダー
着色感光性樹脂組成物中のバインダーとしては、先に述べた質量平均分子量１０００以上の高分子化合物を好ましく用いることができる。バインダーの含有量は、着色感光性樹脂組成物の全固形分に対して１５〜５０質量％が一般的であり、２０〜４５質量％が好ましい。この量が多すぎると組成物の粘度が高くなりすぎ製造適性上問題となる。少なすぎると塗布膜の形成上問題がある。
【０１３８】
（ｃ）モノマー又はオリゴマー
本発明の着色感光性樹脂組成物に含有させるモノマー又はオリゴマーとしては、エチレン性不飽和二重結合を２個以上有し、光の照射によって付加重合するモノマー又はオリゴマーであることが好ましい。そのようなモノマー及びオリゴマーとしては、分子中に少なくとも１個の付加重合可能なエチレン性不飽和基を有し、沸点が常圧で１００℃以上の化合物を挙げることができる。その例としては、ジペンタエリスリトールヘキサ（メタ）アクリレート、ポリエチレングリコールモノ（メタ）アクリレート、ポリプロピレングリコールモノ（メタ）アクリレート及びフェノキシエチル（メタ）アクリレートなどの単官能アクリレートや単官能メタクリレート；ポリエチレングリコールジ（メタ）アクリレート、ポリプロピレングリコールジ（メタ）アクリレート、トリメチロールエタントリアクリレート、トリメチロールプロパントリ（メタ）アクリレート、トリメチロールプロパンジアクリレート、ネオペンチルグリコールジ（メタ）アクリレート、ペンタエリスリトールテトラ（メタ）アクリレート、ペンタエリスリトールトリ（メタ）アクリレート、ジペンタエリスリトールヘキサ（メタ）アクリレート、ジペンタエリスリトールペンタ（メタ）アクリレート、ヘキサンジオールジ（メタ）アクリレート、トリメチロールプロパントリ（アクリロイルオキシプロピル）エーテル、トリ（アクリロイルオキシエチル）イソシアヌレート、トリ（アクリロイルオキシエチル）シアヌレート、グリセリントリ（メタ）アクリレート；トリメチロールプロパンやグリセリン等の多官能アルコールにエチレンオキシド又はプロピレンオキシドを付加した後（メタ）アクリレート化したもの等の多官能アクリレートや多官能メタクリレートを挙げることができる。また、特開平１０−６２９８６号公報に記載の一般式（１）および（２）のように、多官能アルコールにエチレンオキサイドやプロピレンオキサイドを付加させた後（メタ）アクリレート化した化合物も好適なものとして挙げられる。
【０１３９】
更に特公昭４８−４１７０８号公報、特公昭５０−６０３４号公報及び特開昭５１−３７１９３号公報に記載されているウレタンアクリレート類；特開昭４８−６４１８３号公報、特公昭４９−４３１９１号公報及び特公昭５２−３０４９０号公報に記載されているポリエステルアクリレート類；エポキシ樹脂と（メタ）アクリル酸の反応生成物であるエポキシアクリレート類等の多官能アクリレー卜やメタクリレートを挙げることができる。
【０１４０】
これらの中で、トリメチロールプロパントリ（メタ）アクリレート、ペンタエリスリトールテトラ（メタ）アクリレート、ジペンタエリスリトールヘキサ（メタ）アクリレート、ジペンタエリスリトールペンタ（メタ）アクリレートが好ましい。
【０１４１】
また、この他、特開平１１−１３３６００号公報に記載の「重合性化合物Ｂ」も好適なものとして挙げることができる。
【０１４２】
これらのモノマー又はオリゴマーは（モノマー又はオリゴマーとしては、分子量２００〜１０００のものが好ましい。）、単独でも、二種類以上を混合して用いてもよく、着色感光性樹脂組成物の全固形分に対する含有量は５〜５０質量％が一般的であり、１０〜４０質量％が好ましい。この量が多すぎると現像性の制御が困難になり製造適性上問題となる。少なすぎると露光時の硬化力が不足する。
【０１４３】
（ｄ）光重合開始剤又は光重合開始剤系
本発明の着色感光性樹脂組成物に含有させる光重合開始剤又は光重合開始剤系（本発明において、光重合開始剤系とは複数の化合物の組み合わせで光重合開始の機能を発現する混合物をいう。）としては、米国特許第２３６７６６０号明細書に開示されているビシナルポリケタルドニル化合物、米国特許第２４４８８２８号明細書に記載されているアシロインエーテル化合物、米国特許第２７２２５１２号明細書に記載のα−炭化水素で置換された芳香族アシロイン化合物、米国特許第３０４６１２７号明細書及び同第２９５１７５８号明細書に記載の多核キノン化合物、米国特許第３５４９３６７号明細書に記載のトリアリールイミダゾール二量体とｐ−アミノケトンの組み合わせ、特公昭５１−４８５１６号公報に記載のベンゾチアゾール化合物とトリハロメチル−ｓ−トリアジン化合物、米国特許第４２３９８５０号明細書に記載されているトリハロメチル−トリアジン化合物、米国特許第４２１２９７６号明細書に記載されているトリハロメチルオキサジアゾール化合物等を挙げることができる。特に、トリハロメチル−ｓ−トリアジン、トリハロメチルオキサジアゾール及びトリアリールイミダゾール二量体が好ましい。
【０１４４】
また、この他、特開平１１−１３３６００号公報に記載の「重合開始剤Ｃ」や、オキシム系として、１−フェニル−１，２−プロパンジオン−２−（ｏ−エトキシカルボニル）オキシム、Ｏ−ベンゾイル−４’−（ベンズメルカプト）ベンゾイル−ヘキシル−ケトキシム、２，４，６−トリメチルフェニルカルボニル−ジフェニルフォスフォニルオキサイド、ヘキサフルオロフォスフォロ−トリアルキルフェニルホスホニウム塩等も好適なものとしてあげることができる。
【０１４５】
これらの光重合開始剤又は光重合開始剤系は、単独でも、２種類以上を混合して用いてもよいが、特に２種類以上を用いることが好ましい。少なくとも２種の光重合開始剤を用いると、表示特性、特に表示のムラが少なくできる。
【０１４６】
着色感光性樹脂組成物の全固形分に対する光重合開始剤又は光重合開始剤系の含有量は、０．５〜２０質量％が一般的であり、１〜１５質量％が好ましい。この量が多すぎると感度が高くなりすぎ制御が困難になる。少なすぎると露光感度が低くなりすぎる。露光に際して用いることができる放射線としては、特に、ｇ線、ｉ線等の紫外線が好ましく用いられる。照射量は５〜１５００ｍＪ／ｃｍ２が好ましく１０〜１０００ｍＪ／ｃｍ２がより好ましく、１０〜５００ｍＪ／ｃｍ２が最も好ましい。
【０１４７】
（その他の添加剤）
〔溶媒〕
本発明の着色感光性樹脂組成物においては、上記成分の他に、更に有機溶媒を用いてもよい。有機溶媒の例としては、特に限定されないが、エステル類、例えば酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチルなどの３−オキシプロピオン酸アルキルエステル類；３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル等；エーテル類、例えばジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、プロピレングリコールメチルエーテルアセテート、等；ケトン類、例えばメチルエチルケトン、メチルイソブチルケトン、シクロヘキサノン、シクロヘキサノール、２−ヘプタノン、３−ヘプタノン等；芳香族炭化水素類、例えばトルエン、キシレシ等が挙げられる。これら溶剤のうち、３−エトキシプロピオン酸メチル、３−エトキシプロピオン酸エチル、エチルセロソルブアセテート、乳酸エチル、酢酸ブチル、３−メトキシプロピオン酸メチル、２−ヘプタノン、シクロヘキサノン、エチルカルビトールアセテート、ブチルカルビトールアセテート、プロピレングリコールメチルエーテルアセテート等が本発明における溶剤として好ましく用いられる。これらの溶剤は、単独で用いてもあるいは２種以上組み合わせて用いてもよい。
【０１４８】
また沸点が１８０℃〜２５０℃である溶剤を必要によって使用することができる。これらの高沸点溶剤としては、次のものが例示される。ジエチレングリコールモノブチルエーテル、ジエチレングリコールモノエチルエーテルアセテート、ジエチレングリコールモノエチルエーテル、３，５，５−トリメチル−２−シクロヘキセン−１−オン、ブチルラクテート、ジプロピレングリコールモノメチルエーテルアセテート、プロピレングリコールモノメチルエーテルアセテート、プロピレングリコールジアセテート、プロピレングリコール−ｎ−プロピルエーテルアセテート、ジエチレングリコールジエチルエーテル、２−エチルヘキシルアセテート、３−メトキシ−３−メチルブチルアセテート、γブチルラクトン、トリプロピレングリコールメチルエチルアセテート、ジプロピレングリコール−ｎ−ブチルアセテート、プロピレングリコールフェニルエーテルアセテート、１，３−ブタンジオールジアセテート。
【０１４９】
溶媒の含有量は、樹脂組成物全量に対して１０〜９５質量％が好ましい。
【０１５０】
〔界面活性剤〕
従来用いられてきたカラーフィルタにおいては、高い色純度を実現するために各画素の色が濃くなり、画素の膜厚のムラが、そのまま色ムラとして認識されるという問題があった。そのため、画素の膜厚に直接影響する、感光性樹脂層の形成（塗布）時の、膜厚変動の良化が求められていた。
【０１５１】
本発明のカラーフィルタ又は本発明の着色感光性樹脂組成物を用いた転写材料においては、均一な膜厚に制御でき、塗布ムラ（膜厚変動による色ムラ）を効果的に防止するという観点から、該着色感光性樹脂組成物中に適切な界面活性剤を含有させることが好ましい。
【０１５２】
上記界面活性剤としては、特開２００３−３３７４２４号公報、特開平１１−１３３６００号公報に開示されている界面活性剤が、好適なものとして挙げられる。界面活性剤の含有量は、樹脂組成物全量に対して５質量％以下が好ましい。
【０１５３】
〔熱重合防止剤〕
本発明の着色感光性樹脂組成物は、熱重合防止剤を含むことが好ましい。該熱重合防止剤の例としては、ハイドロキノン、ハイドロキノンモノメチルエーテル、ｐ−メトキシフェノール、ジ−ｔ−ブチル−ｐ−クレゾール、ピロガロール、ｔ−ブチルカテコール、ベンゾキノン、４，４’−チオビス（３−メチル−６−ｔ−ブチルフェノール）、２，２’−メチレンビス（４−メチル−６−ｔ−ブチルフェノール）、２−メルカプトベンズイミダゾール、フェノチアジン等が挙げられる。熱重合防止剤の含有量は、樹脂組成物全量に対して１質量％以下が好ましい。
【０１５４】
〔補助的に使用する染料、顔料〕
本発明の着色感光性樹脂組成物には、必要に応じ前記着色剤（顔料）に加えて、着色剤（染料、顔料）を添加することができる。着色剤のうち顔料を用いる場合には、着色感光性樹脂組成物中に均一に分散されていることが望ましく、そのため粒径が０．１μｍ以下、特には０．０８μｍ以下であることが好ましい。
【０１５５】
染料ないし顔料としては、具体的には、前記顔料として、特開２００５−１７７１６号公報［００３８］〜［００４０］に記載の色材や、特開２００５−３６１４４７号公報［００６８］〜［００７２］に記載の顔料や、特開２００５−１７５２１号公報［００８０］〜［００８８］に記載の着色剤を好適に用いることができる。補助的に使用する染料もしくは顔料の含有量は、樹脂組成物全量に対して５質量％以下が好ましい。
【０１５６】
〔紫外線吸収剤〕
本発明の着色感光性樹脂組成物には、必要に応じて紫外線吸収剤を含有することができる。紫外線吸収剤としては、特開平５−７２７２４号公報記載の化合物のほか、サリシレート系、ベンゾフェノン系、ベンゾトリアゾール系、シアノアクリレート系、ニッケルキレート系、ヒンダードアミン系などが挙げられる。
【０１５７】
具体的には、フェニルサリシレート、４−ｔ−ブチルフェニルサリシレート、２，４−ジ−ｔ−ブチルフェニル−３’，５’−ジ−ｔ−４’−ヒドロキシベンゾエート、４−ｔ−ブチルフェニルサリシレート、２，４−ジヒドロキシベンゾフェノン、２−ヒドロキシ−４−メトキシベンゾフェノン、２−ヒドロキシ−４−ｎ−オクトキシベンゾフェノン、２−（２’−ヒドロキシ−５’−メチルフェニル）ベンゾトリアゾール、２−（２’−ヒドロキシ−３’−ｔ−ブチル−５’−メチルフェニル）−５−クロロベンゾトリアゾール、エチル−２−シアノ−３，３−ジフェニルアクリレート、２，２’−ヒドロキシ−４−メトキシベンゾフェノン、ニッケルジブチルジチオカーバメート、ビス（２，２，６，６−テトラメチル−４−ピリジン）−セバケート、４−ｔ−ブチルフェニルサリシレート、サルチル酸フェニル、４−ヒドロキシ−２，２，６，６−テトラメチルピペリジン縮合物、コハク酸−ビス（２，２，６，６−テトラメチル−４−ピペリデニル）−エステル、２−［２−ヒドロキシ−３，５−ビス（α，α−ジメチルベンジル）フェニル］−２Ｈ−ベンゾトリアゾール、７−｛［４−クロロ−６−（ジエチルアミノ）−５−トリアジン−２−イル］アミノ｝−３−フェニルクマリン等が挙げられる。紫外線吸収剤の含有量は、樹脂組成物全量に対して５質量％以下が好ましい。
【０１５８】
また、本発明の着色感光性樹脂組成物においては、上記添加剤の他に、特開平１１−１３３６００号公報に記載の「接着助剤」や、その他の添加剤等を含有させることができる。
【０１５９】
[着色感光性樹脂組成物の塗布膜］
本発明の着色感光性樹脂組成物を用いた塗布膜における含有成分については、既に［着色感光性樹脂組成物］の項において記載したものと同様である。また、本発明の着色感光性樹脂組成物を用いた塗布膜の厚さは、その用途により適宜定めることができるが、０．５〜５．０μｍであることが好ましく、１．０〜３．０μｍであることがより好ましい。この本発明の着色感光性樹脂組成物を用いた塗布膜においては、そこに含まれる（ｃ）モノマー又はオリゴマーを重合させて着色感光性樹脂組成物の重合膜とし、それを有するカラーフィルタを作製することができる（カラーフィルタの作製については後述する。）。重合性モノマー又は重合性オリゴマーの重合は、光照射により（ｄ）光重合開始剤又は光重合開始剤系を作用させて行うことができる。
【０１６０】
＜カラーフィルタおよびその製造方法＞
次に、本発明のカラーフィルタおよびその製造方法について説明する。
【０１６１】
本発明のカラーフィルタは、支持体上に、本発明の光硬化性組成物（着色感光性樹脂組成物）を用いてなる着色パターンを有することを特徴とする。
【０１６２】
以下、本発明のカラーフィルタについて、その製造方法（本発明のカラーフィルタの製造方法）を通じて詳述する。
【０１６３】
本発明のカラーフィルタの製造方法は、本発明の光硬化性組成物を、直接もしくは他の層を介して基板上に付与して感光性膜を形成する工程（以下、適宜「感光性膜形成工程」と略称する。）と、形成された感光性膜を、パターン露光する（マスクを介して露光する）工程（以下、適宜「露光工程」と略称する。）と、露光後の感光性膜を現像して着色パターンを形成する工程（以下、適宜「現像工程」と略称する。）と、を含むことを特徴とする。
【０１６４】
以下、本発明のカラーフィルタの製造方法における各工程について説明する。
（感光性膜形成工程）
感光性膜形成工程では、直接もしくは他の層を有する基板上に、本発明の光硬化性組成物を塗布して（付与して）感光性膜を形成する。
【０１６５】
本工程に用いうる基板としては、例えば、液晶表示素子等に用いられるソーダガラス、パイレックス（登録商標）ガラス、石英ガラスおよびこれらに透明導電膜を付着させたものや、撮像素子等に用いられる光電変換素子基板、例えばシリコン基板等や、相補性金属酸化膜半導体（ＣＭＯＳ）等が挙げられる。これらの基板は、各画素を隔離するブラックストライプが形成されている場合もある。
【０１６６】
また、これらの基板上には、必要により、上部の層との密着改良、物質の拡散防止或いは、基板表面の平坦化のために下塗り層（他の層）を設けてもよい。
【０１６７】
基板上への本発明の光硬化性組成物の塗布方法としては、スリット塗布、インクジェット法、回転塗布、流延塗布、ロール塗布、スクリーン印刷法等の各種の塗布方法を適用することができる。
【０１６８】
光硬化性組成物の塗布膜厚としては、０．１〜１０μｍが好ましく、０．２〜５μｍがより好ましく、０．２〜３μｍがさらに好ましい。
【０１６９】
基板上に塗布された感光性膜の乾燥（プリベーク）は、ホットプレート、オーブン等で５０℃〜１４０℃の温度で１０〜３００秒で行うことができる。
（露光工程）
露光工程では、前記感光性膜形成工程において形成された感光性膜を、所定のマスクパターンを有するマスクを介して露光する、即ち、パターン露光を行う。
【０１７０】
本工程では、塗布膜である感光性膜に対し、所定のマスクパターンを介して露光を行うことで、光照射された塗布膜部分だけを硬化させることができる。
【０１７１】
露光に際して用いることができる放射線としては、特に、ｇ線、ｉ線等の紫外線が好ましく用いられる。照射量は５〜１５００ｍＪ／ｃｍ2が好ましく１０〜１０００ｍＪ／ｃｍ2がより好ましく、１０〜５００ｍＪ／ｃｍ2が最も好ましい。
【０１７２】
本発明のカラーフィルタが液晶表示素子用である場合は、上記範囲の中で５〜２００ｍＪ／ｃｍ2が好ましく１０〜１５０ｍＪ／ｃｍ2がより好ましく、１０〜１００ｍＪ／ｃｍ2が最も好ましい。また、本発明のカラーフィルタが固体撮像素子用である場合は、上記範囲の中で３０〜１５００ｍＪ／ｃｍ2が好ましく５０〜１０００ｍＪ／ｃｍ2がより好ましく、８０〜５００ｍＪ／ｃｍ2が最も好ましい。
【０１７３】
（現像工程）
次いで、現像処理を行うことにより、露光工程における未露光部分が現像液に溶出し、光硬化した部分だけが残る。現像液としては、未硬化部における光硬化性組成物の膜を溶解する一方、硬化部を溶解しないものであれば、いずれのものも用いることができる。具体的には、種々の有機溶剤の組合せやアルカリ性の水溶液を用いることができる。
【０１７４】
現像温度としては、通常２０℃〜３０℃であり、現像時間は２０〜９０秒である。
【０１７５】
前記有機溶剤としては、本発明の顔料分散組成物または光硬化性組成物を調製する際に使用できる既述の溶剤が挙げられる。
【０１７６】
前記アルカリ性の水溶液としては、例えば、水酸化ナトリウム、水酸化カリウム、炭酸ナトリウム、炭酸水素ナトリウム、硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、１，８−ジアザビシクロ−［５，４，０］−７−ウンデセン等のアルカリ性化合物を、濃度が０．００１〜１０質量％、好ましくは０．０１〜１質量％となるように純水で希釈したアルカリ性水溶液が現像液として好ましく使用される。
【０１７７】
なお、このようなアルカリ性水溶液からなる現像液を使用した場合には、一般に現像後純水で洗浄（リンス）する。
【０１７８】
現像工程後、余剰の現像液を洗浄除去し、乾燥を施した後に加熱処理（ポストベーク）を行う。
【０１７９】
ポストベークは、硬化を完全なものとするための現像後の加熱処理であり、通常１００℃〜２４０℃の熱硬化処理を行う。基板がガラス基板またはシリコン基板の場合は上記温度範囲の中でも２００℃〜２４０℃が好ましい。
【０１８０】
このポストベーク処理は、現像後の塗布膜を、上記条件になるようにホットプレートやコンベクションオーブン（熱風循環式乾燥機）、高周波加熱機等の加熱手段を用いて、連続式あるいはバッチ式で行うことができる。
【０１８１】
以上説明した、感光性膜形成工程、露光工程、および現像工程（更に、必要により加熱処理）を所望の色相数だけ繰り返すことにより、所望の色相よりなるカラーフィルタが作製される。
【０１８２】
光硬化性組成物を基板上に付与して膜形成する場合、膜の乾燥厚みとしては、一般に０．３〜５．０μｍであり、好ましくは０．５〜３．５μｍであり、最も望ましくは１．０〜２．５μｍである。
【０１８３】
基板としては、例えば、液晶表示素子等に用いられる無アルカリガラス、ソーダガラス、パイレックス（登録商標）ガラス、石英ガラス、及びこれらに透明導電膜を付着させたものや、固体撮像素子等に用いられる光電変換素子基板、例えばシリコン基板等、並びにプラスチック基板が挙げられる。これらの基板上には、通常、各画素を隔離するブラックストライプが形成されている。
【０１８４】
プラスチック基板には、その表面にガスバリヤー層及び／又は耐溶剤性層を有していることが好ましい。
【０１８５】
光硬化性組成物の用途として、主にカラーフィルタの画素への用途を主体に述べてきたが、カラーフィルタの画素間に設けられるブラックマトリックスにも適用できることは言うまでもない。ブラックマトリックスは、本発明の光硬化性組成物に着色剤として、カーボンブラック、チタンブラックなどの黒色の着色剤を添加したものを用いる他は、上記画素の作製方法と同様に、パターン露光、アルカリ現像し、更にその後、ポストベークして膜の硬化を促進させて形成させることができる。
【実施例】
【０１８６】
以下、本発明を実施例に基づき、さらに詳しく説明するが、本発明はこれにより限定して解釈されるものではない。
【０１８７】
＜実施例１＞
［有機ナノ顔料粒子水性分散液の調製］
Ｃ．Ｉ．ピグメントレッド２５４（１．５質量部）とポリビニルピロリドン（Ｋ−２５（商品名）、和光純薬工業社製、３質量部）をジメチルスルホキシド（ＤＭＳＯ）（２３．７質量部）に添加し攪拌した。この溶液に２６質量％テトラメチルアンモニウムヒドロキシド水溶液（１．８質量部）を添加し、顔料溶液Ａを調製した。一方、酢酸（１．５質量部）を添加した水（２７０質量部）を顔料不溶性溶媒Ｂとして調製した。
前記顔料不溶性溶媒Ｂを３０℃で藤沢製薬工業社製ＧＫ−０２２２−１０型ラモンドスターラー（商品名）により５００ｒｐｍで攪拌しながら、該顔料不溶性溶媒Ｂに前記顔料溶液Ａを日本精密科学社製ＮＰ−ＫＸ−５００型大容量無脈流ポンプ（商品名）で流速１００ｍＬ／ｍｉｎで注入して有機ナノ顔料粒子を晶析させ、有機ナノ顔料粒子の親水性凝集体を得た。得られた有機ナノ顔料粒子の一次粒子のサイズの評価を透過型電子顕微鏡にて行った。結果を表１に示す。
【０１８８】
［疎水性化用分散剤の添加］
疎水性化用分散剤として架橋高分子化合物Ｐ−１（質量平均分子量９６００）（０．７５質量部）をアセトン（２００質量部）に溶解させ、上述の有機ナノ粒子の親水性凝集体（二次粒子）の分散液（３００質量部）に添加し、０．５時間撹拌した。０．５時間静置し、生じた疎水性凝集体を沈降させ、上澄み液をデカントにより除去した。
【０１８９】
［単離・洗浄・乾燥］
ろ紙（ＡＤＶＡＮＴＥＣ社製、Ｎｏ．２）により上述の凝集体をろ取し、水（３００質量部）で洗浄した。得られた固体を室温下、一晩真空乾燥させた。
【０１９０】
［再分散］
この有機顔料固体（１質量部）に下記非水性溶媒１−メトキシ−２−プロピルアセテート（式Ｑ）（４質量部）を添加し、日本精密製作所社製超音波ホモジナイザーＵＳシリーズ（商品名）を用いて超音波照射を３時間行うことにより、下記非水性溶媒を分散媒とする有機ナノ顔料粒子非水性分散液（顔料分散組成物Ａ）を得た。
【０１９１】
【化１５】
2010084037.tif 000016
【０１９２】
（評価試験）
（１）コントラスト評価
得られた顔料分散組成物Ａを、ガラス基板上に厚みが２μｍになるように塗布し、サンプルを作製した。バックライトユニットとして３波長冷陰極管光源（東芝ライテック（株）社製ＦＷＬ１８ＥＸ−Ｎ（商品名））に拡散板を設置したものを用い、２枚の偏光板（（株）サンリツ社製の偏光板ＨＬＣ２−２５１８（商品名））の間にこのサンプルを置き、偏光軸が平行のときと、垂直のときとの透過光量を測定し、その比をコントラストとした（「１９９０年第７回色彩光学コンファレンス、５１２色表示１０．４”サイズＴＦＴ−ＬＣＤ用カラーフィルタ、植木、小関、福永、山中」等参照。）。色度の測定には色彩輝度計（（株）トプコン社製ＢＭ−５）を用いた。２枚の偏光板、サンプル、色彩輝度計の設置位置は、バックライトから１３ｍｍの位置に偏光板を、４０ｍｍ〜６０ｍｍの位置に直径１１ｍｍ長さ２０ｍｍの円筒を設置し、この中を透過した光を、６５ｍｍの位置に設置した測定サンプルに照射し、透過した光を、１００ｍｍの位置に設置した偏光板を通して、４００ｍｍの位置に設置した色彩輝度計で測定した。色彩輝度計の測定角は２°に設定した。バックライトの光量は、サンプルを設置しない状態で、２枚の偏光板をパラレルニコルに設置したときの輝度が１２８０ｃｄ／ｍ2になるように設定した。また、１週間後の顔料分散組成物Ａについても同様な評価を行い、経過時間による安定性の指標とした。
【０１９３】
＜実施例２＞
実施例１の架橋高分子化合物Ｐ−１をＰ−３に変更し、実施例１と同様の操作を行った。得られた有機ナノ顔料粒子非水性分散液（顔料分散組成物Ｂ）について実施例１と同様の評価試験を行った。結果を表１に示す。
【０１９４】
＜実施例３＞
実施例１の架橋高分子化合物Ｐ−１をＰ−１４に変更し、実施例１と同様の操作を行った。得られた有機ナノ顔料粒子非水性分散液（顔料分散組成物Ｃ）について実施例１と同様の評価試験を行った。結果を表１に示す。
【０１９５】
＜実施例４＞
実施例１の架橋高分子化合物Ｐ−１をＰ−１５に変更し、実施例１と同様の操作を行った。得られた有機ナノ顔料粒子非水性分散液（顔料分散組成物Ｄ）について実施例１と同様の評価試験を行った。結果を表１に示す。
【０１９６】
＜比較例１＞
実施例１のと同様な操作で調製した有機顔料微粒子水性分散液に存在する親水性凝集体を、フィルタ（アドバンテック社製Ｈ０１０Ａ０４７Ａ、商品名）を用いてフィルタろ過し、ろ取した固体に対して実施例１と同様な洗浄、乾燥した固体（１質量部）に対して、実施例１の疎水性化用分散剤として、架橋高分子化合物Ｐ−１に替え、メタクリル酸／メタクリル酸ベンジル共重合体（２質量部）、１−メトキシ−２−プロピルアセテート（８質量部）添加し、日本精密製作所社製超音波ホモジナイザーＵＳシリーズ（商品名）を用いて超音波照射を３時間行うことにより、下記非水性溶媒を分散剤とする有機顔料微粒子非水性分散液（顔料分散組成物Ｅ）を得た。評価は、上記のようにフィルタろ過を行った以外は実施例１と同様な評価を行った。顔料分散組成物Ｅについて実施例１と同様の評価試験を行った結果を表１に示す。
【０１９７】
【表１】
2010084037.tif 000017
【０１９８】
上記の結果が示すとおり、本発明によれば、少量の疎水性化用分散剤の添加で効率良く、高い分散性、分散安定性を有する有機ナノ顔料粒子の非水性分散物を効率良く得ることができた。
【０１９９】
［着色感光性樹脂組成物の調製］
実施例１〜４、比較例１で得られた顔料分散組成物Ａ〜Ｅ１０００質量部にさらに書き組成の成分を添加し、攪拌混合して、本発明の着色感光性樹脂組成物（カラーレジスト液）を調製した。
【０２００】
〔組成〕
・ジペンタエリスリトールヘキサアクリレート                  ・・・８０質量部
・４−［ｏ−ブロモ−ｐ−Ｎ，Ｎ−ジ（エトキシカルボニル）アミノフェニル］−２，６−ジ（トリクロロメチル）−Ｓ−トリアジン  （光重合開始剤）  ・・・３０質量部
・メタクリル酸ベンジル／メタクリル酸（＝７０／３０［モル比］）共重合体（質量平均分子量：１０，０００）のプロピレングリコールモノメチルエーテルアセテート溶液（固形分４０％）                                              ・・・２００質量部
・１−メトキシ−２−プロピルアセテート                    ・・・４９０質量部
得られた光硬化性組成物（カラーレジスト液）を、１００ｍｍ×１００ｍｍのガラス基板（１７３７、コーニング社製）上に、色濃度の指標となるｘ値が０．６５０となるように塗布し、９０℃のオーブンで６０秒間乾燥させた（プリベーク）。その後、塗膜の全面に２００ｍＪ／ｃｍ2にて（照度２０ｍＷ／ｃｍ2）露光し、露光後の塗膜をアルカリ現像液ＣＤＫ−１（富士フイルムエレクトロニクスマテリアルズ（株）製）の１％水溶液にて覆い、６０秒間静止した。静止後、純水をシャワー状に散布して現像液を洗い流した。そして、上記のように露光および現像が施された塗膜を２２０℃のオーブンで１時間加熱処理し（ポストベーク）、ガラス基板上にカラーフィルタ用の着色樹脂被膜を形成し、着色フィルタ基板（カラーフィルタ）を作製した。
【０２０１】
得られた各膜のＲ成分のコントラストを実施例１と同様に測定した結果を、表２に示した。
【０２０２】
［表２］
−−−−−−−−−−−−−−−−−−−−−−−−−−−−−−−−−−−−
着色感光性樹脂組成物            コントラスト                  備考
−−−−−−−−−−−−−−−−−−−−−−−−−−−−−−−−−−−−
Ａ                        １７０００                実施例１
Ｂ                        １４０００                実施例２
Ｃ                        １５０００                実施例３
Ｄ                        １５０００                実施例４
Ｅ                        １１０００                比較例１
−−−−−−−−−−−−−−−−−−−−−−−−−−−−−−−−−−−−
【０２０３】
上記の結果から分かるとおり、本発明の顔料組成物を用いて調製した非水性分散物を用い、そこから着色感光性樹脂組成物を介して作製したカラーフィルタは、比較例のものに比べ高いコントラストを示した。